(57)【特許請求の範囲】
【請求項１】
第１のグループ及び第２のグループを含む複数の無線システムアクセス技術からシステム選択をするための方法であって、
前記第２のグループに関するアクセス技術のそれぞれの優先順位に関係するデータベースに、前記第２のグループに関する識別情報の一部として、前記第１のグループに関する識別情報を格納することと、
前記データベースに格納された前記識別情報に少なくとも部分的に基づいて、前記第１及び第２のグループのうちの一方から好適なアクセス技術を選択することと、
を備え、前記格納することは、前記第２のグループのアクセス技術識別子に、前記第１のグループにおけるシステムごとに少なくとも１つの拡張ビットを追加することを含む、方法。
【請求項２】
前記データベースが、前記第１のグループ及び前記第２のグループのうちの少なくとも一方からのアクセス技術の優先順位を付けるためのリスト構造を備え、前記少なくとも１つの拡張ビットが、前記第１のグループの前記アクセス技術のサポートを示す、請求項１に記載の方法。
【請求項３】
前記第１のグループが、第三世代提携プロジェクト２（３ＧＰＰ２）技術を備え、前記第２のグループが、第三世代提携プロジェクト（３ＧＰＰ）技術を備える、請求項２に記載の方法。
【請求項４】
前記データベースが、前記第三世代提携プロジェクト技術に関連付けられたパブリックランドモバイルネットワークのリストを備え、前記少なくとも１つの拡張ビットが、前記パブリックランドモバイルネットワークの前記リストの少なくとも１つのエントリを拡張する、請求項３に記載の方法。
【請求項５】
前記第三世代提携プロジェクト２技術に関連付けられた好適ローミングリスト（ＰＲＬ）にアクセスすることをさらに備え、前記好適ローミングリストがシステムテーブル及び取得テーブルを備え、前記好適ローミングリストの前記システムテーブルが、前記第三世代提携プロジェクト２技術のうちの少なくとも１つについて、少なくとも１つのシステム識別子／ネットワーク識別子の組み合わせを備える、請求項４に記載の方法。
【請求項６】
前記好適ローミングリストの前記システムテーブルを、前記第三世代提携プロジェクト２技術のうちの少なくとも１つについて、少なくとも１つのモバイル国コード／モバイルネットワークコードの対を含むように構成することと、それに応答して、前記システムテーブルにおける所定のモバイル国コード／モバイルネットワークコードの対について、前記システムテーブルから、対応する取得インデックスを取得することとをさらに備え、前記取得インデックスが前記取得テーブルに列挙された少なくとも１つの周波数を指す、請求項５に記載の方法。
【請求項７】
前記パブリックランドモバイルネットワークの前記リストを、前記第三世代提携プロジェクト２技術のうちの少なくとも１つについて、少なくとも１つのモバイル国コード／モバイルネットワークコードの対を含むように構成することと、それに応答して、前記少なくとも１つのモバイル国コード／モバイルネットワークコードの対を使用して、対応するシステム識別子／ネットワーク識別子の対及び対応するサブネット識別子のうちの少なくとも１つを見つけることとをさらに備える、請求項５に記載の方法。
【請求項８】
前記少なくとも１つのモバイル国コード／モバイルネットワークコードの対を使用することが、モバイル国コード／モバイルネットワークコードの対を対応するシステム識別子／ネットワーク識別子の組み合わせに相関させるマッピングテーブルをチェックすることを備える、請求項７に記載の方法。
【請求項９】
少なくとも１つの第三世代提携プロジェクト２システムから、少なくとも１つの拡張システムパラメータメッセージ（ＥＳＰＭ）で、少なくとも１つのモバイル国コード／モバイルネットワークコードの対を受信することをさらに備える、請求項５に記載の方法。
【請求項１０】
システム識別子／ネットワーク識別子の組み合わせを、対応するモバイル国コード／モバイルネットワークコードの対に相関させる、マッピングテーブルをチェックすることによって、前記好適ローミングリストにおけるシステム識別子／ネットワーク識別子の組み合わせを使用して、対応するモバイル国コード／モバイルネットワークコードの対を見つけることをさらに備える請求項５に記載の方法。
【請求項１１】
前記選択された好適なアクセス技術が少なくとも１つの第三世代提携プロジェクト２システムに対応し、
前記少なくとも１つの第三世代提携プロジェクト２システムが、モバイル国コード／モバイルネットワークコードの対に関連付けられておらず、
パブリックランドモバイルネットワークの前記リストが、前記第三世代提携プロジェクト２技術に対応する少なくとも１つのブロックエントリを備える、
請求項５に記載の方法。
【請求項１２】
前記少なくとも１つのブロックエントリに遭遇することに応答して、（ａ）完全な好適ローミングリストスキャンを実行して、全ての使用可能な第三世代提携プロジェクト２技術を検索し、（ｂ）使用可能な第三世代提携プロジェクト２システムにキャンプオンすることをさらに備える請求項１１に記載の方法。
【請求項１３】
前記好適ローミングリストに列挙された地理的領域インジケータ及び取得レコードを使用して、前記パブリックランドモバイルネットワークの前記リストに含まれる第三世代提携プロジェクト２システムのスキャンをスピードアップすることをさらに備える請求項５に記載の方法。
【請求項１４】
第１のグループ及び第２のグループを備える複数の無線システムアクセス技術からのシステム選択のための方法であって、
前記第２のグループに関するメインデータベースに、前記第２のグループに関する識別情報の一部として、前記第１のグループに関係する拡張情報を格納することと、
好適なアクセス技術をユーザ機器の現在の地理的位置について前記第１のグループから選択することができるかどうかを決定するために、前記第１のグループに関する前記アクセス技術のそれぞれの優先順位に関係する二次データベースを検索することと、
を備え、前記格納することは、前記第２のグループのアクセス技術識別子に、前記第１のグループにおけるシステムごとに少なくとも１つの拡張ビットを追加することを含む、方法。
【請求項１５】
前記拡張情報が、前記メインデータベースに列挙された前記第１のグループの所定のアクセス技術ごとに、前記所定のアクセス技術を識別する少なくとも１つの拡張ビットを備える請求項１４に記載の方法。
【請求項１６】
マッピングテーブルを調べて、前記第１のグループの前記好適なアクセス技術の第１の識別子を、前記第２のグループに使用可能な対応する第２の識別子に変換することをさらに備える請求項１４に記載の方法。
【請求項１７】
第１のグループ及び第２のグループを備える複数の無線システムアクセス技術からのシステム選択のための通信機器であって、
トランシーバモジュールと、
前記トランシーバモジュールに動作可能に結合された少なくとも１つのプロセッサと、
前記少なくとも１つのプロセッサに動作可能に結合されるメモリモジュールと、
を具備し、前記メモリモジュールは、
前記少なくとも１つのプロセッサに、
前記第２のグループに関する前記アクセス技術のそれぞれの優先順位に関係するデータベースに、前記第２のグループに関する識別情報の一部として、前記第１のグループに関する識別情報を格納させ、
前記データベースに格納された前記識別情報に少なくとも一部分基づいて、前記第１及び第２のグループのうちの一方から好適なアクセス技術を選択させる
ための実行可能コードを備え、前記格納することは、前記第２のグループのアクセス技術識別子に、前記第１のグループにおけるシステムごとに少なくとも１つの拡張ビットを追加することを含む、通信機器。
【請求項１８】
前記データベースが、前記第１のグループ及び前記第２のグループのうちの少なくとも一方からのアクセス技術の優先順位を付けるためのリスト構造を備え、前記少なくとも１つの拡張ビットが、前記第１のグループの前記アクセス技術のサポートを示す、請求項１７に記載の機器。
【請求項１９】
前記第１のグループが第三世代提携プロジェクト２技術を備え、前記第２のグループが第三世代提携プロジェクト技術を備え、前記データベースが前記第三世代提携プロジェクト技術に関連付けられたパブリックランドモバイルネットワークのリストを備え、前記少なくとも１つの拡張ビットが前記パブリックランドモバイルネットワークの前記リストの少なくとも１つのエントリを拡張する、請求項１８に記載の機器。
【請求項２０】
前記少なくとも１つのプロセッサが前記第三世代提携プロジェクト２技術に関連付けられた好適ローミングリストにアクセスし、前記好適ローミングリストがシステムテーブル及び取得テーブルを備え、前記好適ローミングリストの前記システムテーブルが、前記第三世代提携プロジェクト２技術のうちの少なくとも１つについて、少なくとも１つのシステム識別子／ネットワーク識別子の組み合わせを備える、請求項１９に記載の機器。
【請求項２１】
前記好適ローミングリストの前記システムテーブルが前記第三世代提携プロジェクト２技術のうちの少なくとも１つについて少なくとも１つのモバイル国コード／モバイルネットワークコードの対を含むように構成されることに応答して、前記少なくとも１つのプロセッサが、前記システムテーブルにおける所定のモバイル国コード／モバイルネットワークコードの対について、前記システムテーブルから対応する取得インデックスを取得し、前記取得インデックスが前記取得テーブルに列挙された周波数のうちの少なくとも１つを指す、請求項２０に記載の機器。
【請求項２２】
前記少なくとも１つのプロセッサが、前記システムテーブルの所定のモバイル国コード／モバイルネットワークコードの対について、前記システムテーブルから対応する取得インデックスを取得し、前記取得インデックスが、前記取得テーブルに列挙された前記周波数のうちの少なくとも１つを指す、請求項２１に記載の機器。
【請求項２３】
前記パブリックランドモバイルネットワークの前記リストが前記第三世代提携プロジェクト２技術のうちの少なくとも１つについて少なくとも１つのモバイル国コード／モバイルネットワークコードの対を含むことに応答して、前記少なくとも１つのプロセッサが、マッピングテーブルをチェックすることによって、前記少なくとも１つのモバイル国コード／モバイルネットワークコードの対を使用して、対応するシステム識別子／ネットワーク識別子の対及び対応するサブネット識別子のうちの少なくとも一方を見つける、請求項２０に記載の機器。
【請求項２４】
前記トランシーバモジュールが、少なくとも１つの第三世代提携プロジェクト２システムから、少なくとも１つのＥＳＰＭで少なくとも１つのモバイル国コード／モバイルネットワークコードの対を受信する、請求項２０に記載の機器。
【請求項２５】
前記少なくとも１つのプロセッサが、マッピングテーブルをチェックすることによって、前記好適ローミングリストにおけるシステム識別子／ネットワーク識別子の組み合わせ及びサブネット識別子のうちの少なくとも一方を使用して、少なくとも１つの対応するモバイル国コード／モバイルネットワークコードの対を見つける、請求項２０に記載の機器。
【請求項２６】
前記選択された好適なアクセス技術が少なくとも１つの第三世代提携プロジェクト２システムに対応し、
前記少なくとも１つの第三世代提携プロジェクト２システムが、モバイル国コード／モバイルネットワークコードの対に関連付けられておらず、
パブリックランドモバイルネットワークの前記リストが、前記第三世代提携プロジェクト２技術に対応する少なくとも１つのブロックエントリを備える、
請求項２０に記載の機器。
【請求項２７】
前記少なくとも１つのプロセッサが、前記少なくとも１つのブロックエントリに遭遇することに応答して、（ａ）完全な好適ローミングリストスキャンを実行して、全ての使用可能な第三世代提携プロジェクト２技術を検索し、（ｂ）使用可能な第三世代提携プロジェクト２システムにキャンプオンする、請求項２６に記載の機器。
【請求項２８】
前記少なくとも１つのプロセッサが、前記好適ローミングリストに列挙された地理的領域インジケータ及び取得レコードを使用して、前記パブリックランドモバイルネットワークの前記リストに含まれる第三世代提携プロジェクト２システムのスキャンをスピードアップする、請求項２０に記載の機器。
【請求項２９】
第１のグループ及び第２のグループを備える複数の無線システムアクセス技術からのシステム選択のための通信機器であって、
トランシーバモジュールと、
前記トランシーバモジュールに動作可能に結合された少なくとも１つのプロセッサと、
前記少なくとも１つのプロセッサに動作可能に結合されるメモリモジュールと、
を具備し、前記メモリモジュールは、
前記少なくとも１つのプロセッサに、
前記第２のグループに関するメインデータベースに、前記第２のグループに関する識別情報の一部として、前記第１のグループに関係する拡張情報を格納させ、
好適なアクセス技術を前記機器の現在の地理的位置について前記第１のグループから選択することができるかどうかを決定するために、前記第１のグループに関する前記アクセス技術のそれぞれの優先順位に関係する二次データベースを検索させる
ための実行可能コードを備え、前記格納することは、前記第２のグループのアクセス技術識別子に、前記第１のグループにおけるシステムごとに少なくとも１つの拡張ビットを追加することを含む、通信機器。
【請求項３０】
第１のグループ及び第２のグループを備える複数の無線システムアクセス技術からのシステム選択のための装置であって、
前記第２のグループに関する前記アクセス技術のそれぞれの優先順位に関係するデータベースに、前記第２のグループに関する識別情報の一部として、前記第１のグループに関する識別情報を格納するための第１のコンポーネントと、
前記データベースに格納された前記識別情報に少なくとも一部分基づいて、前記第１及び第２のグループのうちの一方から好適なアクセス技術を選択するための第２のコンポーネントと、
を備え、前記格納することは、前記第２のグループのアクセス技術識別子に、前記第１のグループにおけるシステムごとに少なくとも１つの拡張ビットを追加することを含む、装置。
【請求項３１】
前記識別情報が、前記第１のグループの前記アクセス技術のサポートを示す、請求項３０に記載の装置。
【請求項３２】
前記第１のグループが第三世代提携プロジェクト２技術を備え、前記第２のグループが第三世代提携プロジェクト技術を備える、請求項３０に記載の装置。
【請求項３３】
第１のグループ及び第２のグループを備える複数の無線システムアクセス技術からのシステム選択のための装置であって、
前記第２のグループに関するメインデータベースに、前記第２のグループに関する識別情報の一部として、前記第１のグループに関係する拡張情報を格納するための第１のコンポーネントと、
好適なアクセス技術をユーザ機器の現在の地理的位置について前記第１のグループから選択することができるかどうかを決定するために、前記第１のグループに関する前記アクセス技術のそれぞれの優先順位に関係する二次データベースを検索するための第２のコンポーネントと、
を備え、前記格納することは、前記第２のグループのアクセス技術識別子に、前記第１のグループにおけるシステムごとに少なくとも１つの拡張ビットを追加することを含む、装置。
【請求項３４】
第１のグループ及び第２のグループを備える複数の無線システムアクセス技術からのシステム選択のための装置であって、
前記第２のグループに関する前記アクセス技術のそれぞれの優先順位に関係するデータベースに、前記第２のグループに関する識別情報の一部として、前記第１のグループに関する識別情報を格納するための手段と、
前記データベースに格納された前記識別情報に少なくとも一部分基づいて、前記第１及び第２のグループのうちの一方から好適なアクセス技術を選択するための手段と、
を備え、前記格納することは、前記第２のグループのアクセス技術識別子に、前記第１のグループにおけるシステムごとに少なくとも１つの拡張ビットを追加することを含む、装置。
【請求項３５】
前記識別情報が、前記第１のグループの前記アクセス技術のサポートを示す、請求項３４に記載の装置。
【請求項３６】
前記第１のグループが第三世代提携プロジェクト２技術を備え、前記第２のグループが第三世代提携プロジェクト技術を備える、請求項３４に記載の装置。
【請求項３７】
第１のグループ及び第２のグループを備える複数の無線システムアクセス技術からのシステム選択のための装置であって、
前記第２のグループに関するメインデータベースに、前記第２のグループに関する識別情報の一部として、前記第１のグループに関係する拡張情報を格納するための手段と、
好適なアクセス技術をユーザ機器の現在の地理的位置について前記第１のグループから選択することができるかどうかを決定するために、前記第１のグループに関する前記アクセス技術のそれぞれの優先順位に関係する二次データベースを検索するための手段と、
を備え、前記格納することは、前記第２のグループのアクセス技術識別子に、前記第１のグループにおけるシステムごとに少なくとも１つの拡張ビットを追加することを含む、装置。
【請求項３８】
前記拡張情報が、前記メインデータベースに列挙された前記第１のグループの所定のアクセス技術ごとに、前記所定のアクセス技術を識別する少なくとも１つの拡張ビットを備える、請求項３７に記載の装置。
【請求項３９】
前記第１のグループが第三世代提携プロジェクト２技術を備え、前記第２のグループが第三世代提携プロジェクト技術を備える、請求項３７に記載の装置。
【請求項４０】
コンピュータに、複数の無線システムアクセス技術の第１のグループに関する識別情報を、第２のグループに関する複数の無線システムアクセス技術のうちのそれぞれの優先順位に関係するデータベースに、前記第２のグループに関する識別情報の一部として格納させるためのコードと、
コンピュータに、前記データベースに格納された前記識別情報に少なくとも一部分基づいて、前記第１及び第２のグループのうちの一方から好適なアクセス技術を選択させるためのコードと、
を記憶し、前記格納することは、前記第２のグループのアクセス技術識別子に、前記第１のグループにおけるシステムごとに少なくとも１つの拡張ビットを追加することを含む、コンピュータ可読記憶媒体。
【請求項４１】
前記識別情報が、前記第１のグループの前記アクセス技術のサポートを示す、請求項４０に記載のコンピュータ可読記憶媒体。
【請求項４２】
前記第１のグループが第三世代提携プロジェクト２技術を備え、前記第２のグループが第三世代提携プロジェクト技術を備える、請求項４０に記載のコンピュータ可読記憶媒体。
【請求項４３】
コンピュータに、複数の無線システムアクセス技術の第１のグループに関係する拡張情報を、前記複数の無線システムアクセス技術の第２のグループに関するメインデータベースに、前記第２のグループに関する識別情報の一部として、格納させるためのコードと、  コンピュータに、好適なアクセス技術を機器の現在の地理的位置について前記第１のグループから選択することができるかどうかを決定するために、前記第１のグループに関する前記アクセス技術のそれぞれの優先順位に関係する二次データベースを検索させるためのコードと、
を記憶し、ここで、前記格納することは、前記第２のグループのアクセス技術識別子に、前記第１のグループにおけるシステムごとに少なくとも１つの拡張ビットを追加することを含む、コンピュータ可読記憶媒体。
【請求項４４】
コンピュータに、マッピングテーブルを調べさせて、前記第１のグループの前記好適なアクセス技術の第１の識別子を、前記第２のグループに使用可能な対応する第２の識別子に変換させるためのコードをさらに備える請求項４３に記載のコンピュータ可読記憶媒体。
【発明の詳細な説明】
【技術分野】
【０００１】
米国特許法第１１９条のもとでの優先権の主張
本特許出願は、２００８年１０月２２日出願され、本出願の譲受人に譲渡され、参照により本明細書に明示的に組み込まれている「METHODS AND APPARATUS FOR SYSTEM SELECTION IN A MULTIMODE WIRELESS DEVICE」という名称の仮出願第６１／１０７，６３０号の優先権を主張する。
【０００２】
本開示は、マルチモードワイヤレス機器におけるシステム選択のための方法及び装置に関し、より詳細には、複数の標準をサポートするマルチモードワイヤレス機器におけるシステム選択に関する。
【背景技術】
【０００３】
一般に、無線多元通信方式は、複数の無線端末の通信を同時にサポートすることができる。各端末は、順方向及び逆方向のリンク上の送信を介して１つ以上の基地局と通信する。順方向リンク（又はダウンリンク）は、基地局から端末への通信リンクを指し、逆方向リンク（又はアップリンク）は、端末から基地局への通信リンクを指す。この通信リンクは、単入力単出力、多入力単出力、又は多入力多出力（ＭＩＭＯ）システムを介して確立することができる。
【０００４】
世界中における多数の無線技術の配置、及びモバイルマルチモード機器又はユーザ機器（ＵＥ）におけるこれらの技術のサポートにより、国際ローミングの目的に対してシームレスなシステム選択の必要性が高まりつつある。さらに、任意の特定の地理的領域は、3rd Generation Partnership Project（３ＧＰＰ）及び3rd Generation Partnership Project2（３ＧＰＰ２）技術など、混合の技術及びネットワークをサポートすることができる。
【０００５】
混合の技術をサポートするモバイルマルチモード機器には、技術内で最適なネットワークを選択するのに使用される複数のデータベースがあり得る。一例として、例えばいくつかのCode Division Multiple Access2000（ＣＤＭＡ２０００）ネットワークなどの３ＧＰＰ２技術では、ＵＥに格納されるPreferred Roaming List（ＰＲＬ）データベースは、その機器では、３ＧＰＰ２技術のどのシステム／ネットワークが地理的領域内で好適であるかについての情報を提供する。無線による（ＯＴＡ）管理プロトコルを介してあらかじめ決定されていようと、又はプログラムされていようと、ＰＲＬは、好適なネットワーク、及びそれらをユーザのために選択すべき順序についての情報を含む。３ＧＰＰ２技術でのＰＲＬは、各地理的領域に関連付けられたテーブルを有し、テーブルは次いで、システム識別子／ネットワーク識別子（ＳＩＤ／ＮＩＤ）の対によって鍵が付けられ、取得インデックスに関連付けられたシステムの説明のリストを含むように構築することができる。取得インデックスは、関連のシステムにおいて、チャネル取得の目的で、ＲＦチャネルのインデックス付きリストを含む取得テーブルへのポインタとして使用することができる。
【０００６】
一方、Global System for Mobile（ＧＳＭ（登録商標））及びユニバーサル移動通信システム（ＵＭＴＳ）地上波無線アクセス（ＵＴＲＡ）などの３ＧＰＰ技術では、パブリックランドモバイルネットワーク（ＰＬＭＮ）と呼ばれる好適なネットワークの異なるように構築されたデータベースリストは、モバイル機器の加入者識別モジュール（ＳＩＭ）又は汎用加入者識別モジュール（ＵＳＩＭ）に格納される。データベースにおけるＰＬＭＮには、ＧＳＭ及びＵＭＴＳパブリックランドモバイルネットワークなどの３ＧＰＰ技術を使用してサービスオペレータを一意に識別するためにモバイル国コード（Mobile County Code：ＭＣＣ）との組み合わせで使用されるモバイルネットワークコード（ＭＮＣ）（「ＭＣＣ／ＭＮＣタプル」としても知られる）などがある。
【０００７】
原点は、無線アクセス技術（ＲＡＴ）としても知られる３ＧＰＰ２アクセス技術識別子（ＡＴＩ）を含み得るＰＬＭＮリストに基づくシステム選択の３ＧＰＰ手法であり得る。ＰＬＭＮは、ＭＣＣとＭＮＣとの連結を識別することができ、またＭＣＣとＭＮＣとの連結であり得る。地理的位置中をローミングするとき、特に異なる使用可能なアクセス技術（例えば３ＧＰＰや３ＧＰＰ２など）でいくつかのエリアにわたってローミングするとき、マルチモード機器が最適な使用可能なシステムをシームレスに選択することが望ましい。従って、アクセス技術中のよりシームレスで効率的なシステム選択を行う、既存のアクセス技術及び予想される将来のアクセス技術間のマルチモードローミングのためのアクセス技術選択を管理するための技法が必要である。こうした技法は、例えば、通常３ＧＰＰ２システム選択を可能にしない３ＧＰＰ  ＲＡＴに、単に３ＧＰＰ２  ＲＡＴを含めることを凌ぐ。以下に詳細に記述する実施形態は、複数の無線システムアクセス技術からの効率的なシステム選択を可能にする。
【発明の概要】
【０００８】
以下は、こうした実施形態の基本的な理解を提供するために、１つ以上の実施形態の概略を示す。この概要は、企図された全ての実施形態の広範にわたる概要ではなく、全ての実施形態の鍵となる又は重要な要素を識別するためのものでもなく、任意の又は全ての実施形態の範囲を画定するためのものでもない。その唯一の目的は、後に提示されるより詳細な説明の前置きとして簡略化された形態で１つ以上の実施形態のいくつかの概念を示すことである。
【０００９】
１つ以上の実施形態及びその対応する開示によれば、ＵＥが複数の無線システムアクセス技術からのシステム選択を実行する方法との関連で様々な態様について説明する。例えば、複数の無線システムアクセス技術には、アクセス技術の第１のグループ及び第２のグループがあり得る。システム選択方法は、第２のグループに関係するアクセス技術のそれぞれの優先順位に関係し得るデータベースに第１のグループに関係する識別情報を格納することを伴い得る。また、この方法は、データベースに格納された識別情報に少なくとも一部分基づいて、第１及び第２のグループのうちの一方から好適なアクセス技術を選択することを伴い得る。
【００１０】
この方法は、データベースに列挙された第１のグループの所定のシステムごとに、所定のシステムを識別する少なくとも１つの拡張ビットを格納することを伴い得る。格納するステップは、データベースにおける所定のシステムに関連付けられた識別子（例えばアクセス技術識別子）に少なくとも１つの拡張ビットを追加することを伴い得る。少なくとも１つの拡張ビットは、第１のグループのアクセス技術のサポートを示し得る。
【００１１】
例えば、第１のグループは、３ＧＰＰ２技術を備え、第２のグループは、３ＧＰＰ技術を備え得る。データベースは、３ＧＰＰ技術に関連付けられたパブリックランドモバイルネットワーク（ＰＬＭＮ）のリストを備え得る。この方法は、３ＧＰＰ２技術に関連付けられたPreferred Roaming List（ＰＲＬ）にアクセスすることを伴い、ＰＲＬは、システムテーブル及び取得テーブルを備える。
【００１２】
一実施形態では、ＰＲＬのシステムテーブルは、３ＧＰＰ２技術のうちの少なくとも１つについて、少なくとも１つのシステム識別子（ＳＩＤ）／ネットワーク識別子（ＮＩＤ）の組み合わせを含み得る。代替的に、又は追加的に、ＰＲＬのシステムテーブルは、３ＧＰＰ２技術のうちの少なくとも１つについて、少なくとも１つのサブネットＩＤを含み得る。
【００１３】
別の実施形態では、ＰＲＬのシステムテーブルは、３ＧＰＰ２技術のうちの少なくとも１つについて、少なくとも１つのモバイル国コード（ＭＣＣ）／モバイルネットワークコード（ＭＮＣ）の対を備えるように構成することができる。関連の態様では、この方法は、システムテーブルの所定のＭＣＣ／ＭＮＣの対について、システムテーブルから対応する取得インデックスを取得することを伴うことができ、取得インデックスは、取得テーブルに列挙される周波数のうちの少なくとも１つを指す。
【００１４】
ＰＬＭＮのリストは、３ＧＰＰ２技術のうちの少なくとも１つについて、少なくとも１つのＭＣＣ／ＭＮＣの対を含み得る。この方法は、少なくとも１つのＭＣＣ／ＭＮＣの対を使用して、対応するＳＩＤ／ＮＩＤの対及び対応するサブネットＩＤのうちの少なくとも一方を見つけることを伴い得る。この方法は、ＭＣＣ／ＭＮＣの対を対応するＳＩＤ／ＮＩＤの組み合わせに相関させるマッピングテーブルをチェックすることを備え得る。
【００１５】
この方法は、少なくとも１つの３ＧＰＰ２システムから少なくとも１つの拡張システムパラメータメッセージ（ＥＳＰＭ）で少なくとも１つのＭＣＣ／ＭＮＣの対を受信することを伴い得る。この方法は、データベース及びＰＲＬのうちの少なくとも一方に、少なくとも１つの受信したＭＣＣ／ＭＮＣの対を格納することをさらに伴い得る。
【００１６】
この方法は、ＰＲＬにおけるＳＩＤ／ＮＩＤの組み合わせを使用して、例えば、ＳＩＤ／ＮＩＤの組み合わせを対応するＭＣＣ／ＭＮＣの対に相関させるマッピングテーブルをチェックすることによって、対応するＭＣＣ／ＭＮＣの対を見つけることを伴い得る。代替的に、又は追加的に、この方法は、ＰＲＬにおけるサブネットＩＤを使用して、例えば、サブネットＩＤを対応するＭＣＣ／ＭＮＣの対に相関させるマッピングテーブルをチェックすることによって、対応するＭＣＣ／ＭＮＣの対を見つけることを伴い得る。
【００１７】
この方法は、データベース及びＰＲＬのうちの少なくとも一方を調べて、３ＧＰＰ及び３ＧＰＰ２システム中で優先順位を解決することを伴い得る。関連の態様では、選択された好適なアクセス技術は、少なくとも１つの３ＧＰＰ２システムに対応し、少なくとも１つの３ＧＰＰ２システムは、ＭＣＣ／ＭＮＣの対に関連付けられておらず、ＰＬＭＮのリストは、３ＧＰＰ２技術に対応する少なくとも１つのブロックエントリを含む一実施形態が提供される。この方法は、少なくとも１つのブロックエントリに遭遇することに応答して、（ａ）完全なＰＲＬスキャンを実行して、全ての使用可能な３ＧＰＰ２技術を検索し、（ｂ）使用可能な３ＧＰＰ２システムにキャンプオンすることを伴い得る。
【００１８】
さらに別の実施形態では、この方法は、ＰＲＬに列挙されたＧＥＯ及び取得レコードを使用して、ＰＬＭＮのリストに含まれる３ＧＰＰ２システムのスキャンをスピードアップすることを伴い得る。さらに別の実施形態では、データベースは、特定の領域の地理空間であるシステム優先順位リストを備え得る。システム優先順位リストは、ＰＬＭＮのリストを備える。データベースは、システムテーブル及び取得テーブルを備え得る。
【００１９】
１つ以上の実施形態及びその対応する開示によれば、様々な態様が、システム選択の別の方法との関連で記載される。この方法は、第２のグループに関するメインデータベースに第１のグループに関係する拡張情報を格納することを伴い得る。この方法は、好適なアクセス技術を、ＵＥの現在の地理的位置の第１のグループから選択することができるかどうかを決定するために、第１のグループに関するアクセス技術のそれぞれの優先順位に関係する二次データベースを検索することも伴い得る。
【００２０】
一実施形態では、第１のグループは、３ＧＰＰ２技術を備え、第２のグループは、３ＧＰＰ技術を備え得る。メインデータベースは、ＰＬＭＮリストを備え、二次データベースは、ＰＲＬを備え得る。関連の態様では、この方法は、マッピングテーブルを調べて、第１のグループの好適なアクセス技術の第１の識別子を、第２のグループに使用可能な対応する第２の識別子に変換することを伴い得る。例えば、第１の識別子は、ＳＩＤ／ＮＩＤの組み合わせを備え、第２の識別子は、ＭＮＣ／ＭＣＣの対を備え得る。
【００２１】
この方法は、メインデータベースにおけるＰＬＭＮリストに少なくとも一部分基づいて、第１のグループの好適なアクセス技術を選択するかどうかを決定することを伴い得る。例えば、ＰＬＭＮリストは、優先順位を備え、この方法は、優先順位に少なくとも一部分基づいて好適なアクセス技術を選択するかどうかを決定することを備え得る。
【００２２】
１つ以上の実施形態及びその対応する開示によれば、第１のグループ及び第２のグループを備える複数の無線システムアクセス技術からのシステム選択のための機器及び装置との関連で様々な態様が記載されている。例えば、ＵＥ又は類似の通信機器内で使用するためのＵＥ又はプロセッサ若しくは類似の機器として構成され得る装置が提供される。この装置は、第２のグループに関するアクセス技術のそれぞれの優先順位に関係するデータベースに第１のグループに関する識別情報を格納するための電気コンポーネントを備え得る。この装置は、データベースに格納された識別情報に少なくとも一部分基づいて、第１及び第２のグループのうちの一方から好適なアクセス技術を選択するための電気コンポーネントを備え得る。関連の態様では、識別情報は、データベースに列挙された第１のグループの所定のシステムごとに、所定のシステムを識別する少なくとも１つの拡張ビットを備え得る。
【００２３】
１つ以上の実施形態及びその対応する開示によれば、複数の無線システムアクセス技術からのシステム選択のための別の装置との関連で様々な態様が記載される。一実施形態では、この装置は、第２のグループに関するメインデータベースに第１のグループに関する拡張情報を格納するための電気コンポーネントを備え得る。この装置は、好適なアクセス技術を、機器の現在の地理的位置の第１のグループから選択することができるかどうかを決定するために、第１のグループに関するアクセス技術のそれぞれの優先順位に関係する二次データベースを検索するための電気コンポーネントを備え得る。
【００２４】
上記及び関連の目的の達成のために、１つ以上の実施形態は、以下に完全に記載され、特に特許請求の範囲に指摘した特徴を備える。以下の説明及び添付の図面は、１つ以上の実施形態のいくつかの例示の態様を詳細に記載する。しかし、これらの態様は、様々な実施形態の原理を使用することができ、記載された実施形態は、こうした全ての態様及びその均等物を含むためのものである様々な方法のうちのほんの少しを示しているにすぎない。
【図面の簡単な説明】
【００２５】
【図１】一実施形態による多元接続無線通信システムを示す図。
【図２】通信システムのブロック図。
【図３Ａ】ネットワーク環境内のアクセスポイント基地局の配置の態様を示す図。
【図３Ｂ】ネットワーク環境内のアクセスポイント基地局の配置の態様を示す図。
【図３Ｃ】ネットワーク環境内のアクセスポイント基地局の配置の態様を示す図。
【図４】例示のマルチモードユーザ機器（ＵＥ）又は他のモバイル機器のブロック図。
【図５】図４の機器でシステム選択に使用するための例示の方法のフロー図。
【図６】図４におけるデータベース４０４などの検索データベースに格納することができる例示のＰＬＭＮリスト構造の少なくとも一部を示す図。
【図７】単一の地理的エリア又はマーケットにわたるサービスエリア及びオペレータのサービスの様々なレベルの一例を示す図。
【図８】ＳＩＤ／ＮＩＤ識別子をＭＣＣ／ＭＮＣ識別子にマッピング又は変換するための例示のマッピングテーブルの少なくとも一部分を示す図。
【図９】図４の機器でシステム選択に使用するための別の例示の方法のフロー図。
【図１０】本開示によるシステム選択の一例を示すＰＲＬ、ＰＬＭＮリスト、及びマッピングテーブルを示す図。
【図１１Ａ】複数の無線システムアクセス技術からのシステム選択の方法の一実施形態を示す図。
【図１１Ｂ】図１１Ａに示す方法の態様のサンプルを示す図。
【図１１Ｃ】図１１Ａに示す方法の態様のサンプルを示す図。
【図１２】システム選択のための方法の別の実施形態を示す図。
【図１３Ａ】複数の無線システムアクセス技術からのシステム選択ための装置の一実施形態を示す図。
【図１３Ｂ】複数の無線システムアクセス技術からのシステム選択ための装置の一実施形態を示す図。
【図１３Ｃ】複数の無線システムアクセス技術からのシステム選択ための装置の一実施形態を示す図。
【図１４】システム選択のための装置の別の実施形態を示す図。
【図１５Ａ】フレックスＧＥＯテーブルの一実施形態を示す図。
【図１５Ｂ】図１５ＡのフレックスＧＥＯテーブルで使用することができるシステムテーブルの一実施形態を示す図。
【図１５Ｃ】図１５ＡのフレックスＧＥＯテーブルで使用することができる取得テーブルの一実施形態を示す図。
【発明を実施するための形態】
【００２６】
次に、様々な実施形態を、図面を参照して説明する。図中、類似の参照番号は、図面を通じて類似の要素を示すために使用される。以下の説明において、説明の目的で、１つ以上の実施形態を完全に理解するために、多数の特定の詳細が記載される。しかし、こうした実施形態は、これらの特定の詳細無しに実施することができることは明らかであろう。他の例では、よく知られている構造及び機器は、１つ以上の実施形態の説明を容易にするために、ブロック図の形態で示される。
【００２７】
本明細書に記載されている技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、Single-Carrier FDMA（ＳＣ−ＦＤＭＡ）ネットワークなど、様々な無線通信ネットワークに使用され得る。「ネットワーク」及び「システム」という用語はしばしば交換可能に使用される。ＣＤＭＡネットワークは、ユニバーサル地上波無線アクセス（ＵＴＲＡ）、ｃｄｍａ２０００などの無線技術を実装することができる。ＵＴＲＡには、広帯域ＣＤＭＡ（Ｗ−ＣＤＭＡ）及び低チップレート（ＬＣＲ）などがある。ｃｄｍａ２０００は、ＩＳ−２０００、ＩＳ−９５、及びＩＳ−８５６標準をカバーする。ＴＤＭＡネットワークは、Global System for Mobile Communications（ＧＳＭ）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、及びＧＳＭは、ユニバーサル移動通信システム（ＵＭＴＳ）の一部である。Long Term Evolution（ＬＴＥ）は、Ｅ−ＵＴＲＡを使用するＵＭＴＳの近く行われるリリースである。ＵＴＲＡ、Ｅ−ＵＴＲＡ、ＧＳＭ、ＵＭＴＳ、及びＬＴＥは、「3rd Generation Partnership Project」（３ＧＰＰ）と呼ばれる組織からの文書に記載されている。ｃｄｍａ２０００は、「3rd Generation Partnership Project2」（３ＧＰＰ２）と呼ばれる組織からの文書に記載されている。当技術分野では、これらの様々な無線技術及び標準が知られている。理解しやすいように、ＬＴＥについて、技術のいくつかの態様が以下に記載されており、ＬＴＥ用語は、以下の説明の多くに使用されている。
【００２８】
Single Carrier Frequency Division Multiple Access（ＳＣ−ＦＤＭＡ）システムは、単一のキャリア変調及び周波数領域等化を使用することができ、類似のパフォーマンス及びＯＦＤＭＡシステムのものと本質的に同じ全般的な複雑さを有し得る。ＳＣ−ＦＤＭＡ信号は、その固有の単一キャリア構造のために、一般により低いピーク対平均電力比（ＰＡＰＲ）を有する。ＳＣ−ＦＤＭＡは、特に、送信電力効率に関して、ＰＡＰＲがより低いことがモバイル端末のかなりの利益になるアップリンク通信について、かなりの注目を集めており、現在、３ＧＰＰ  ＬＴＥ又はＥｖｏｌｖｅｄ  ＵＴＲＡにおけるアップリンク多元接続方式の作業仮説である。本書の目的上、以下の略語が適用される。
【００２９】
ＡＭ  確認モード
ＡＭＤ  確認モードデータ
ＡＲＱ  自動再送要求
ＢＣＣＨ  ブロードキャスト制御チャネル
ＢＣＨ  ブロードキャストチャネル
ＣＣＣＨ  共通制御チャネル
ＣＣＨ  制御チャネル
ＣＣＴｒＣＨ  コード化統合トランスポートチャネル
ＣＰ  サイクリックプレフィックス
ＣＲＣ  巡回冗長検査
ＣＴＣＨ  共通トラフィックチャネル
ＤＣＣＨ  個別制御チャネル
ＤＣＨ  専用チャネル
ＤＬ  ダウンリンク
ＤＬ−ＳＣＨ  ダウンリンク共有チャネル
ＤＳＣＨ  ダウンリンク共有チャネル
ＤＴＣＨ  専用トラフィックチャネル
ＦＡＣＨ  順方向リンクアクセスチャネル
ＦＤＤ  周波数分割複信
Ｌ１  レイヤ１（物理レイヤ）
Ｌ２  レイヤ２（データリンクレイヤ）
Ｌ３  レイヤ３（ネットワークレイヤ）
ＬＩ  長さインジケータ
ＬＳＢ  最下位ビット
ＭＡＣ  メディアアクセス制御
ＭＢＭＳ  マルチメディアブロードキャストマルチキャストサービス
ＭＢＳＦＮ  マルチキャストブロードキャスト単一周波数ネットワーク
ＭＣＥ  ＭＢＭＳ調整エンティティ
ＭＣＨ  マルチキャストチャネル
ＭＲＷ  移動受信ウィンドウ
ＭＳＢ  最上位ビット
ＭＳＣＨ  ＭＢＭＳポイントツーマルチポイントスケジューリングチャネル
ＭＴＣＨ  ＭＢＭＳポイントツーマルチポイントトラフィックチャネル
ＰＣＣＨ  ページング制御チャネル
ＰＣＨ  ページングチャネル
ＰＤＣＣＨ  物理ダウンリンク制御チャネル
ＰＤＳＣＨ  物理ダウンリンク共有チャネル
ＰＤＵ  プロトコルデータ単位
ＰＨＹ  物理レイヤ
ＰｈｙＣＨ  物理チャネル
ＰＡＣＨ  ランダムアクセスチャネル
ＲＬＣ  無線リンク制御
ＲＲＣ  無線リソース制御
ＳＡＰ  サービスアクセスポイント
ＳＤＵ  サービスデータ単位
ＳＨＣＣＨ  共有チャネル制御チャネル
ＳＮ  シーケンス番号
ＳＵＦＩ  スーパーフィールド
ＴＣＨ  トラフィックチャネル
ＴＤＤ  時分割複信
ＴＦＩ  転送フォーマットインジケータ
ＴＭ  透過モード
ＴＭＤ  透過モードデータ
ＴＴＩ  送信時間間隔
ＵＥ  ユーザ機器
ＵＬ  アップリンク
ＵＭ  非確認モード
ＵＭＤ  非確認モードデータ
ＵＭＴＳ  ユニバーサル移動通信システム
ＵＴＲＡ  ＵＭＴＳ地上波無線アクセス
ＵＴＲＡＮ  ＵＭＴＳ地上波無線アクセスネットワーク
図１を参照すると、一実施形態による多元接続無線通信システムが示されている。アクセスポイント１００（ＡＰ）は、複数のアンテナグループを含むことができ、１つのグループには１０４及び１０６、別のグループには１０８及び１１０、さらに別のグループには１１２及び１１４がある。図１において、アンテナグループごとに２つのアンテナのみが示されているが、アンテナグループごとにより多くの又はより少ないアンテナが使用されてもよい。アクセス端末又はユーザ機器（ＵＥ）１１６は、アンテナ１１２及び１１４と通信することができ、アンテナ１１２及び１１４は、順方向リンク１２０を介して情報をＵＥ１１６に送信し、逆方向リンク１１８を介してＵＥ１１６から情報を受信する。ＵＥ１２２は、アンテナ１０６及び１０８と通信し、アンテナ１０６及び１０８は、順方向リンク１２６を介して情報をＵＥ１２２に送信し、逆方向リンク１２４を介してＵＥ１２２から情報を受信する。ＦＤＤシステムでは、通信リンク１１８、１２０、１２４、及び１２６は、通信のために異なる周波数を使用することができる。例えば、順方向リンク１２０は、逆方向リンク１１８によって使用されるものと異なる周波数を使用することができる。
【００３０】
アンテナの各グループ及び／又はそれらが通信するように設計されたエリアは、しばしばＡＰのセクタと呼ばれる。本実施形態では、アンテナグループはそれぞれ、ＡＰ１００によってカバーされるエリアのセクタにおけるＵＥと通信するように設計される。順方向リンク１２０及び１２６を介した通信では、ＡＰ１００の送信アンテナは、異なるＵＥ１１６及び１２４の順方向リンクの信号対雑音比を向上させるためにビームフォーミングを使用する。また、ＡＰがビームフォーミングを使用して、そのカバレッジ中にランダムに分散するＵＥへの送信を行うことは、ＡＰが単一アンテナを介してその全てのＵＥへの送信を行うことより、隣接セルにおけるＵＥに対してもたらす干渉が少ない。
【００３１】
本明細書に記載した実施形態の態様によれば、データ送信に複数の（ＮT）送信アンテナ及び複数の（ＮR）受信アンテナを使用する多入力多出力（ＭＩＭＯ）システムが提供される。ＮT本の送信アンテナ及びＮR本の受信アンテナによって形成されるＭＩＭＯチャネルをＮS個の独立したチャネルに分散することができ、これらは、空間チャネルとも呼ばれる。この場合、Ｎs≦ｍｉｎ｛ＮT，ＮR｝である。ＮS個の独立したチャネルのそれぞれは、次元に対応する。ＭＩＭＯシステムは、複数の送信及び受信アンテナによって作られる追加の次元数が使用される場合、パフォーマンスの向上（例えば、より高いスループット及び／又はより大きい信頼性など）を提供することができる。
【００３２】
ＭＩＭＯシステムは、時分割多重（「ＴＤＤ」）及び周波数分割複信（「ＦＤＤ」）をサポートすることができる。ＴＤＤシステムでは、相反定理が逆方向のリンクチャネルから順方向のリンクチャネルを推定できるように、順方向及び逆方向のリンク送信は、同じ周波数領域にある。これによって、アクセスポイントは、複数のアンテナがアクセスポイントで使用可能であるとき、順方向リンクにおいて送信ビームフォーミング利得を抽出することができる。
【００３３】
本明細書における教示を、少なくとも１つの他のノードと通信するための様々なコンポーネントを使用するノード（例えば機器）に組み込むことができる。図２は、ノード間の通信を容易にするために使用され得るいくつかのサンプルのコンポーネントを示す。具体的には、図２は、ＭＩＭＯシステム２００のワイヤレス機器２１０（例えば、アクセスポイント）及びワイヤレス機器２５０（例えばＵＥ）を示す。機器２１０で、いくつかのデータストリームのトラフィックデータは、データソース２１２から送信（「ＴＸ」）データプロセッサ２１４に提供される。
【００３４】
いくつかの態様では、各データストリームは、それぞれの送信アンテナを介して送信される。ＴＸデータプロセッサ２１４は、符号化されたデータを提供するためにそのデータストリームのために選択された特定の符号化方式に基づいてデータストリームごとにトラフィックデータをフォーマットし、符号化し、インターリーブする。
【００３５】
データストリームごとの符号化されたデータを、ＯＦＤＭ技法を使用してパイロットデータと多重化することができる。パイロットデータは、通常、既知の方法で処理される既知のデータパターンであり、チャネル応答を推定するために受信機システムで使用され得る。データストリームごとの多重化されたパイロットデータ及び符号化データは、次に、変調シンボルを提供するためにそのデータストリームのために選択された特定の変調方式（例えば、二位相偏移変調（ＢＰＳＫ）、四位相偏移変調（ＱＰＳＫ）、Ｍ位相偏移変調（Ｍ−ＰＳＫ）、又はマルチレベル直交振幅変調（Ｍ−ＱＡＭ）など）に基づいて変調される（即ち、シンボルマッピングされる）。データストリームごとのデータレート、符号化、及び変調は、プロセッサ２３０によって行われる命令によって決定することができる。データメモリ２３２は、プログラムコード、データ、及びプロセッサ２３０又は機器２１０の他のコンポーネントによって使用される他の情報を格納することができる。
【００３６】
全てのデータストリームの変調シンボルは、次にＴＸ  ＭＩＭＯプロセッサ２２０に提供され、これはさらに（例えばＯＦＤＭの）変調シンボルを処理することができる。次に、ＴＸ  ＭＩＭＯプロセッサ２２０は、ＮT個の変調シンボルストリームをＮT個のトランシーバ（「ＸＣＶＲ」）２２２Ａから２２２Ｔに提供する。いくつかの態様では、ＴＸ  ＭＩＭＯプロセッサ２２０は、ビームフォーミングの重みをデータストリームのシンボル、及びシンボルが送信されているアンテナに適用する。
【００３７】
各トランシーバ２２２は、それぞれのシンボルストリームを受信し、処理して、１つ以上のアナログ信号を提供し、アナログ信号をさらに調整（例えば、増幅、フィルタ、アップコンバート）して、ＭＩＭＯチャネルを介して送信に適した変調信号を提供する。トランシーバ２２２Ａから２２２ＴまでのＮT個の変調信号は、次にＮT本のアンテナ２２４Ａから２２４Ｔまでにそれぞれ送信される。
【００３８】
機器２５０で、送信された変調信号は、ＮＲ本のアンテナ２５２Ａから２５２Ｒまでによって受信され、各アンテナ２５２から受信された信号は、それぞれのトランシーバ（「ＸＣＶＲ」）２５４Ａから２５４Ｒまでに提供される。各トランシーバ２５４は、それぞれの受信信号を調整（例えば、フィルタ、増幅、及びダウンコンバート）し、調整された信号をデジタル化してサンプルを提供し、さらにサンプルを処理して、対応する「受信された」シンボルストリームを提供する。
【００３９】
受信（「ＲＸ」）データプロセッサ２６０は、次に、特定の受信機処理技術に基づいてＮＲ個のトランシーバ２５４からＮＲ個の受信シンボルストリームを受信し、処理して、ＮT個の「検出された」シンボルストリームを提供する。次に、ＲＸデータプロセッサ２６０は、検出された各シンボルストリームを復調し、逆インターリーブし、復号して、データストリームのトラフィックデータを回復する。ＲＸデータプロセッサ２６０による処理は、機器２１０でＴＸ  ＭＩＭＯプロセッサ２２０及びＴＸデータプロセッサ２１４によって処理されるものを補完する。
【００４０】
プロセッサ２７０は、使用すべきプリコーディング行列を定期的に決定する（後述）。プロセッサ２７０は、行列インデックス部分及びランク値部分を備える逆リンクメッセージを作る。データメモリ２７２は、プロセッサ２７０又は機器２５０の他のコンポーネントによって使用されるプログラムコード、データ、及び他の情報を格納し得る。
【００４１】
逆リンクメッセージは、通信リンク及び／又は受信されたデータストリームに関する様々なタイプの情報を備え得る。逆リンクメッセージは、次に、データソース２３６からのいくつかのデータストリームのトラフィックデータも受信するＴＸデータプロセッサ２３８によって処理され、変調器２８０によって変調され、トランシーバ２５４Ａから２５４Ｒによって調整されて、機器２１０に返送される。
【００４２】
機器２１０で、機器２５０からの変調信号は、アンテナ２２４によって受信され、トランシーバ２２２によって調整され、復調器（「ＤＥＭＯＤ」）２４０によって復調され、ＲＸデータプロセッサ２４２によって処理されて、機器２５０によって送信される逆リンクメッセージを抽出する。プロセッサ２３０は、次にビームフォーミングの重みを決定するために使用すべきプリコーディング行列を決定し、次に抽出されたメッセージを処理する。機器２１０及び２５０ごとに記載された２つ以上のコンポーネントの機能を単一のコンポーネントによって提供することができることを理解されたい。
【００４３】
本明細書に記載した実施形態の一態様によれば、論理チャネルを論理制御チャネル及び論理トラフィックチャネルに分類することができる。論理制御チャネルは、システム制御情報をブロードキャストするためのＤＬチャネルであるＢＣＣＨ、ページング情報を転送するＤＬチャネルであるＰＣＣＨ、ならびに／又は１つ又はいくつかのＭＴＣＨについてのＭＢＭＳスケジューリング及び制御情報を送信するために使用されるポイントツーマルチポイントＤＬチャネルであるＭＢＭＳポイントツーマルチポイント制御チャネルを備え得る。一般に、ＲＲＣ接続を確立した後、このチャネルは、ＭＢＭＳを受信するＡＴによって使用される。代替的に、又は追加的に、論理制御チャネルは、専用制御情報を送信するポイントツーポイント双方向チャネルであるＤＣＣＨを備え、ＲＲＣ接続を有するＡＴによって使用され得る。本明細書に記載した実施形態の他の態様によれば、論理トラフィックチャネルは、ユーザ情報の転送のための１つのＡＴに専用の、ポイントツーポイント双方向チャネルであるＤＴＣＨ、及び／又はトラフィックデータを送信するためのポイントツーマルチポイントＤＬチャネルであるＭＴＣＨを備え得る。
【００４４】
一態様によれば、トランスポートチャネルは、ＤＬ及びＵＬに分類され得る。ＤＬトランスポートチャネルは、ＢＣＨ、ダウンリンク共有データチャネル（ＤＬ−ＳＤＣＨ）及びＰＣＨを備えることができ、ＵＥの省力のサポートのためのＰＣＨ（ＤＲＸサイクルは、ネットワークによってＵＥに示される）は、セル全体にブロードキャストされて、他の制御／トラフィックチャネルに使用することができるＰＨＹリソースにマッピングされる。ＵＬトランスポートチャネルは、ＲＡＣＨ、要求チャネル（ＲＥＱＣＨ）、アップリンク共有データチャネル（ＵＬ−ＳＤＣＨ）、及び／又は複数のＰＨＹチャネルを備え得る。ＰＨＹチャネルは、ＤＬチャネルとＵＬチャネルとの組を備え得る。
【００４５】
ＤＬ  ＰＨＹチャネルは、共通パイロットチャネル（ＣＰＩＣＨ）、同期チャネル（ＳＣＨ）、ＣＣＣＨ、共有ＤＬ制御チャネル（ＳＤＣＣＨ）、マルチキャスト制御チャネル、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、及び／又はロードインジケータチャネル（ＬＩＣＨ）を備え得る。
【００４６】
ＵＬ  ＰＨＹチャネルは、物理ランダムアクセスチャネル（ＰＲＡＣＨ）、チャネル品質インジケータチャネル（ＣＱＩＣＨ）、ＡＣＫＣＨ、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、及び／又はブロードバンドパイロットチャネル（ＢＰＩＣＨ）を備え得る。
【００４７】
関連の態様では、単一のキャリア波形のピーク対平均電力比（ＰＡＲ）が低い（所定のときに、チャネルは、周波数において隣接しているか均一に間隔をおいて配置されている）特性を保持するチャネル構造が提供される。
【００４８】
いくつかの態様では、本明細書における教示は、マクロスケールカバレッジ（例えば通常マクロセルネットワークと呼ばれる３Ｇネットワークなど広域セルラーネットワーク）、及びスケールがより小さいカバレッジ（例えば、住居ベース又はビルディングベースのネットワーク環境）を含むネットワークで使用することができる。ＵＥは、こうしたネットワーク中を移動するとき、マクロカバレッジを提供するアクセスノード（ＡＮ）によっていくつかの位置でサービスされ、一方で、スケールがより小さいカバレッジを提供するアクセスノードによって他の位置でサービスされ得る。いくつかの態様では、より小さいカバレッジノードを使用して、追加容量成長（incremental capacity growth）、ビルディング内カバレッジ、及び異なるサービス（例えば、より頑強なユーザ体験）を提供することができる。本明細書の説明において、比較的大きいエリアにわたってカバレッジを提供するノードは、マクロノードと呼ばれ得る。比較的小さいエリア（住居など）にわたってカバレッジを提供するノードは、フェムトノードと呼ばれ得る。マクロエリアより小さい、フェムトエリアより大きいエリアにわたってカバレッジを提供するノードは、ピコノードと呼ぶことができる（例えば、商業建築内にカバレッジを提供する）。
【００４９】
マクロノード、フェムトノード、又はピコノードに関連付けられたセルは、それぞれマクロセル、フェムトセル、又はピコセルと呼ぶことができる。いくつかの実装形態において、各セルを、１つ以上のセクタにさらに関連付ける（例えば分割する）ことができる。
【００５０】
様々な用途において、マクロノード、フェムトノード、又はピコノードを参照するために他の用語を使用することができる。例えば、マクロノードは、アクセスノード、基地局、アクセスポイント、ｅｖｏｌｖｅｄ  Ｎｏｄｅ  Ｂ（ｅＮｏｄｅＢ）、マクロセルなどとして構成され、又は呼ばれ得る。また、フェムトノードは、Ｈｏｍｅ  Ｎｏｄｅ  Ｂ（ＨＮＢ）、Ｈｏｍｅ  ｅｖｏｌｖｅｄ  Ｎｏｄｅ  Ｂ（ｅＮｏｄｅＢ）、ＡＰ基地局、フェムトセルなどとして構成され、又は呼ばれ得る。
【００５１】
さらに、小さい基地局の新しいクラスが出現し、これを、ユーザの家にインストールし、既存の広帯域のインターネット接続を使用して室内の無線カバレッジをモバイルユニットに提供することができる。こうした基地局は、一般にアクセスポイント（ＡＰ）基地局として知られているが、Ｈｏｍｅ  Ｎｏｄｅ  Ｂ（ＨＮＢ）ユニット、Ｈｏｍｅ  ｅｖｏｌｖｅｄ  Ｎｏｄｅ  Ｂユニット（ＨｅＮＢ）、フェムトセル、フェムト基地局（ｆＢＳ）、基地局、又は基地局トランシーバシステムとも呼ばれ得る。通常、ＡＰ基地局は、デジタル加入者線（ＤＳＬ）、ケーブルインターネットアクセス、Ｔ１／Ｔ３などを介してインターネット及びモバイルオペレータのネットワークに接続され、ベーストランシーバ基地局（ＢＴＳ）技術、無線ネットワークコントローラ、及びゲートウェイサポートノードサービスなど通常の基地局機能を提供する。これによって、セルラー／モバイル機器又はハンドセット、又はアクセス端末（ＡＴ）とも呼ばれるＵＥは、ＡＰ基地局に接続して無線サービスを使用することができる。ＡＴには、例えば、携帯電話、スマートフォン、ラップトップ、ハンドヘルド通信機器、ハンドヘルドコンピューティング機器、衛星無線、ナビゲーション機器、個人用携帯情報端末（ＰＤＡ）、又は無線通信システムを介して通信するための任意の他の適した装置などがあり得る。
【００５２】
図３Ａは、本明細書の教示を実施することができる、何人かのユーザをサポートするように構成された無線通信システム３００を示している。システム３００は、例えば、マクロセル３０２Ａ〜３０２Ｇなど複数のセル３０２の通信を提供しており、各セルは、対応するアクセスノード３０４（例えば、アクセスノード３０４Ａ〜３０４Ｇ）によってサービスされる。図３に示すように、ＵＥ３０６（例えば、ＵＥ３０６Ａ〜３０６Ｌ）は、時間が経つにつれてシステム中の様々な位置に分散され得る。各ＵＥ３０６は、例えばＵＥ３０６がアクティブであるか、またソフトハンドオフであるかに応じて、所定のときに順方向リンク及び／又は逆方向リンク上の１つ以上のアクセスノード３０４と通信することができる。無線通信システム３００は、大きい地理的領域にわたってサービスを提供することができる。例えば、マクロセル３０２Ａ〜３０２Ｇは、近隣の２、３のブロックをカバーすることができる。
【００５３】
図３Ｂは、１つ以上のフェムトノードがネットワーク環境内に配置される例示の通信システム３１０を示す。具体的には、システム３１０は、比較的小さいスケールのネットワーク環境（例えば、１つ以上のユーザの住居３１６）にインストールされる複数のフェムトノード３１２（例えばフェムトノード３１２Ａ及び３１２Ｂ）を含む。各フェムトノード３１２を、ＤＳＬルータ、ケーブルモデム、無線リンク、又は他の接続手段（図示せず）を介して広域ネットワーク３１８（例えばインターネット）及びモバイルオペレータコアネットワーク３２０に結合することができる。以下に記載するように、各フェムトノード３１２を、関連のＵＥ３１４（例えばＵＥ３１４Ａ）、及びオプションで異なるＵＥ３１４（例えばＵＥ３１４Ｂ）にサービスするように構成することができる。言い換えれば、フェムトノード３１２へのアクセスを限定することができ、それによって所定のＵＥ３１４は、１組の指定された（例えば家の）フェムトノード３１２によってサービスされるが、任意の指定されていないフェムトノード３１２（例えば、近所のフェムトノード３１２）によってサービスされない場合がある。
【００５４】
図３Ｃは、いくつかのマクロカバレッジエリア３３４をそれぞれ含むいくつかの追跡エリア３３２（又はルーティングエリア又は位置エリア）が定義されるカバレッジマップ３３０の一例を示す。ここで、追跡エリア３３２Ａ、３３２Ｂ、及び３３２Ｃに関連付けられたカバレッジのエリアは、幅広の線によって画定され、マクロカバレッジエリア３３４は、六角形によって表される。追跡エリア３３２は、フェムトカバレッジエリア３３６も含む。この例において、各フェムトカバレッジエリア３３６（例えば、フェムトカバレッジエリア３３６Ｃ）は、マクロカバレッジエリア３３４（例えばマクロカバレッジエリア３３４Ｂ）内に示されている。しかし、フェムトカバレッジエリア３３６が完全にはマクロカバレッジエリア３３４内になくてもよいことを理解されたい。実際には、多数のフェムトカバレッジエリア３３６を、所定の追跡エリア３３２又はマクロカバレッジエリア３３４で定義することができる。また、１つ以上のピコカバレッジエリア（図示せず）を、所定の追跡エリア３３２又はマクロカバレッジエリア３３４内に定義することができる。
【００５５】
図３Ｂを再度参照すると、フェムトノード３１２の所有者は、モバイルオペレータコアネットワーク３２０を介して提供される例えば３Ｇモバイルサービスなどのモバイルサービスに加入することができる。さらに、ＵＥ３１４は、マクロ環境、及びより小さいスケール（例えば住居）のネットワーク環境の両方で動作することができる。言い換えれば、ＵＥ３１４の現在の位置に応じて、ＵＥ３１４は、マクロセルモバイルネットワーク３２０のアクセスノード３２２によって、又は１組のフェムトノード３１２のうちの任意の１つ（例えば、対応するユーザの住居３１６内に存在するフェムトノード３１２Ａ及び３１２Ｂ）によってサービスされ得る。例えば、加入者は、自宅の外にいるとき、標準マクロアクセスノード（例えばノード３２２）によってサービスされ、加入者が家にいるとき、フェムトノード（例えばノード３１２Ａ）によってサービスされる。ここで、フェムトノード３１４が既存のＵＥ３１４と下位互換性がある場合があることを理解されたい。
【００５６】
フェムトノード３１２は、単一の周波数上、又は代替的に複数の周波数上に配置され得る。特定の構成に応じて、単一の周波数又は複数の周波数のうちの１つ又は複数は、マクロノード（例えばノード３２２）によって使用される１つ以上の周波数と重複する可能性がある。
【００５７】
いくつかの態様では、ＵＥ３１４は、こうした接続が可能であるときはいつでも、好適なフェムトノード（例えばＵＥ３１４のホームフェムトノードなど）に接続するように構成することができる。例えば、ＵＥ３１４は、ユーザの住居３１６内にあるときはいつでも、ホームフェムトノード３１２とのみ通信することが望ましい場合がある。
【００５８】
いくつかの態様では、ＵＥ３１４がマクロセルラーネットワーク３２０内で動作しており、しかしその最も好適なネットワーク（例えば、好適なローミングリストに定義されるものなど）に存在していない場合、ＵＥ３１４は、より良いシステム再選択（「ＢＳＲ」）を使用して引き続き最も好適なネットワーク（例えば好適なフェムトノード３１２）を検索することができ、これは、より良いシステムが現在使用可能であるかどうかを決定するために使用可能なシステムの定期的なスキャン、及びこうした好適なシステムと関連するためのその後の取り組みを伴い得る。取得エントリにより、ＵＥ３１４は、具体的な帯域及びチャネルの検索を限定することができる。例えば、最も好適なシステムの検索を定期的に繰り返すことができる。好適なフェムトノード３１２の発見後、ＵＥ３１４は、そのカバレッジエリア内にキャンプするためのフェムトノード３１２を選択する。
【００５９】
いくつかの態様では、フェムトノードは限定され得る。例えば、所定のフェムトノードは、いくつかのサービスをいくつかのＵＥに提供することができるだけである。いわゆる限定された（又は閉じられた）関連付けによる配置で、所定のＵＥは、マクロセルモバイルネットワーク及び定義された１組のフェムトノード（例えば、対応するユーザの住居３１６内に存在するフェムトノード３１２）によってサービスされるだけである。いくつかの実装形態において、ノードは、少なくとも１つのノードについて、シグナリング、データアクセス、登録、ページング、又はサービスのうちの少なくとも１つを提供しないように限定され得る。
【００６０】
いくつかの態様では、（限定加入者グループＨｏｍｅ  Ｎｏｄｅ  Ｂとも呼ばれ得る）限定されたフェムトノードは、限定されて提供された１組のＵＥにサービスを提供するものである。この組は、必要に応じて、一時的又は永久的に拡張することができる。いくつかの態様では、限定加入者グループ（「ＣＳＧ」）は、ＵＥの共通アクセス制御リストを共有する１組のアクセスノード（例えば、フェムトノード）として定義することができる。ある領域における全てのフェムトノード（又は全ての限定されたフェムトノード）が動作するチャネルは、フェムトチャネルと呼ばれ得る。
【００６１】
従って、所定のフェムトノードと所定のＵＥとの間に様々な関係が存在し得る。例えば、ＵＥの観点から、オープンフェムトノードは、限定された関連付けによるフェムトノードを指し得る。限定されたフェムトノードは、いくつかの方法で限定された（例えば、関連付け及び／又は登録について限定された）フェムトノードを指し得る。ホームフェムトノードは、ＵＥがアクセスする、及び動作するように許可されたフェムトノードを指し得る。ゲストフェムトノードは、ＵＥがアクセスする、又は動作するように一時的に許可されたフェムトノードを指し得る。異種フェムトノード（alien femto node）は、おそらく緊急事態（例えば９１１呼び出し）を除いて、ＵＥがアクセスする、又は動作するように許可されていないフェムトノードを指し得る。
【００６２】
限定されたフェムトノードの観点から、家のＵＥは、限定されたフェムトノードにアクセスするように許可されたＵＥを指し得る。ゲストＵＥは、限定されたフェムトノードに一時的にアクセスするＵＥを指し得る。異なるＵＥは、例えば９１１呼び出しなど、おそらく緊急事態（例えば、限定されたフェムトノードに登録するための候補又は許可を有していないＵＥ）を除いて、限定されたフェムトノードにアクセスするための許可を有していないＵＥを指し得る。
【００６３】
便宜上、本明細書の開示は、フェムトノードの文脈において様々な機能を記載する。しかし、ピコノードは、大きいカバレッジエリアについて同じ又は類似の機能を提供し得ることを理解されたい。例えば、ピコノードを限定することができる、所定のＵＥについてホームピコノードを定義することができる、などである。
【００６４】
本開示の特定の件の態様によれば、複数の無線システムアクセス技術にわたるマルチモードシステム選択のための方法及び装置が提供される。さらに、本明細書に記載した技法は、こうした区別を、既存の標準に対する最小の変更、及び下位互換性をもって提供する。特に、開示された方法及び装置は、３ＧＰＰ及び３ＧＰＰ２などの異なるセルラー技術にわたるネットワーク識別情報を変換する。これらの変換は、セルラーネットワークの選好に関して総合的な順序を指定する能力をオペレータに提供する。次にモバイル機器は、正しい優先順位で使用可能なセルラーネットワークをソートし、最適なシステムを選択することができる。本発明は、マルチモード機器が最適な使用可能な無線技術を選択するのを助ける。さらに、本発明は、ホームキャリアが、世界中のその加入者にとって効率的で矛盾しないシステム選択体験を確実にするのを助ける。本発明によって、キャリアは、既存の３ＧＰＰ及び３ＧＰＰ２システム選択機構上に構築することによって、下位互換性を確実にしながら、複雑なローミング関係を表すことができる。
【００６５】
例えば、３ＧＰＰ２システム選択が働き得る前に、対処すべきいくつかの問題があることに留意されたい。識別された問題のいくつかは、ＣＤＭＡ２０００ネットワークがＰＬＭＮ情報（即ちＭＣＣ及びＭＮＣ）をブロードキャストするという基礎を成す仮定を含むことができる。しかし、多くの３ＧＰＰ２オペレータのネットワークは、ＭＣＣ／ＭＮＣをブロードキャストするのではなく、むしろＳＩＤ／ＮＩＤをブロードキャストする。従って、ＵＥは、ＰＬＭＮリストのみに基づいてそれが存在するネットワークのレベルの優先順位を識別することができない。また、ｃｄｍａ２０００  １×システムは、２桁のＭＮＣをブロードキャストすることはできるが、フル３桁のＭＮＣをブロードキャストすることはできない。従って、ＣＤＭＡ２０００システムのブロードキャストされたＭＮＣを誤って解釈する可能性がある。ＨＲＰＤシステムは、ＭＣＣ／ＭＮＣをブロードキャストするのではなく、代わりにサブネットＩＤをブロードキャストする。
【００６６】
ＨＲＰＤ（１×ＥＶ−ＤＯ）システムは、アンカー１×システムを必要とし、ハイブリッド１×／ＤＯモードで動作することにも留意されたい。従って、ＨＲＰＤ  ＲＡＴと１×ＲＡＴとを関連付ける必要がある。さらに、システム選択の処理は、３ＧＰＰと３ＧＰＰ２とのシステム選択ルール間の競合に出くわす可能性があることに留意されたい。例えば、ＰＬＭＮリストが優先順位に関してＤＯ＞１×を示し、しかし３ＧＰＰ２システムが１×＞ＤＯを示す場合、システム選択技法は、こうした競合を解決しなければならない。また、システム選択技法は、ＰＲＬとＰＬＭＮとの間のシステム選択ループを中断し、又は防ぐものとする。さらに、システム選択技法は、３ＧＰＰシステムと３ＧＰＰ２システムとの間の背景スキャンを実行することが好ましい。
【００６７】
システム選択技法は、通常３ＧＰＰシステム選択ルールが、例えば、特に背景スキャンについて、３ＧＰＰ２システムの効率的な取得（スキャン又はシステムディスカバリ）をどのように維持するかなどを提供しないという特徴を提供し、又はそれに対処することが好ましいことにさらに留意されたい。３ＧＰＰ標準では、オペレータは、帯域クラス又はチャネル情報を提供することができない。また、３ＧＰＰ２システム選択は、（例えば、地理的領域インジケータ（ＧＥＯ）を使用して）システムの位置ベースの優先順位付けをサポートし、３ＧＰＰはサポートしない。３ＧＰＰは、ＰＬＭＮリストを介してシステムの単一のグローバルな優先順位付けを要求する。
【００６８】
さらに、単一のオペレータに割り当てられるＭＣＣ／ＭＮＣの数は、単一のオペレータに割り当てられるＳＩＤ／ＮＩＤの数よりかなり少ない場合がある。前者は、ＭＣＣ当たりわずか２、３であり、後者は、何十から何百までに及び得る。これは、基本的に、ＭＣＣ／ＭＮＣがＣＤＭＡ２０００システムに使用された場合、位置が離れたシステムの優先順位リストの地理空間の粒度が粗くなることを含意する。
【００６９】
図４は、例示のマルチモードユーザ機器（ＵＥ）又は他のモバイル機器のブロック図を示す。機器４００は、特に３ＧＰＰ技術内のシステム又はネットワークの選択に使用されるＰＬＭＮのリストを格納するデータベース４０４を含むＳＩＭ又はＵｎｉｖｅｒｓａｌ  ＳＩＭ（ＵＳＩＭ）４０２を含む。ＰＬＭＮリストは、ＵＥ４００の配布の前にＳＩＭ４０２であらかじめ決定され、提供されるようにしてもよく、ＳＩＭツールキット及びＳＭＳを使用してＯＴＡで更新されることもできることに留意されたい。同様に、機器４００は、マルチモード機器であり、様々な３ＧＰＰ２技術間で選択を行うために使用するＰＲＬを格納するデータベース４０６も含み得る。デフォルトのＰＲＬは、一例として、配布前にＵＥ４００に設けられる、サービスプログラミングツールを使用して販売時にプログラムされる、又はＯＴＡＳＰを使用してＯＴＡで更新されるようにしてもよい。ＰＲＬデータベース４０６は、ＳＩＭ４０８又はＲＵＩＭ（取外し可能加入者識別モジュール）に配置することができ、又は代替的に、ＵＥ４００のハードウェア又はモバイル機器（ＭＥ）に一体化することもできる。
【００７０】
ＵＥ４００は、特定のネットワーク／サービス及びアクセス技術の選択を制御する選択コントローラ（ＳＣ）４１０も含み得る。一態様によれば、ＳＣ４１０は、個別のコントローラとしてであろうと、又は、ＵＥ４００におけるデジタル信号プロセッサ（ＤＳＰ）又はマイクロプロセッサなど、プロセッサによって実行可能なソフトウェア又はファームウェアとしてであろうと、ハードウェア又はモバイル機器（ＭＥ）４１２の一部とすることができる。ＳＣ４１０の動作、及びそれがシステム選択にどのように影響を与えるかは、以下にさらに詳しく記載する。
【００７１】
複数の技術（例えば３ＧＰＰ及び３ＧＰＰ２）にわたる選択を管理するために、本開示は、既存の機構を使用してシステム選択のためのＰＲＬ及びＰＬＭＮリストを管理する方法及び装置を含む。一態様によれば、検索データベースのうちの１つ又は複数は、他のデータベースに対して相互参照又は変換を行うさらなる情報で拡張され得る。このように、複数のデータベースの代わりに１つのデータベースを調べることによって、効率的なシステム選択のための技術内での最適な技術及びシステム／ネットワークの選択中に、ある検索データベースを使用することができる。
【００７２】
一例として、図５は、２つ以上の検索データベース（例えば、ＰＲＬ及びＰＬＭＮリスト）を有するユーザ機器内でのシステム選択のための例示の方法５００を示す。特に、方法５００は、図４における機器４００など、ワイヤレス機器によってサポートされる複数の無線システムアクセス技術からの無線通信システムアクセス技術の選択を行う。方法５００は、無線システムアクセス技術の第１のグループに関するアクセス技術（例えば、技術の３ＧＰＰ２グループ）に関係する識別情報が、技術の別の第２のグループに関する第１の検索データベース（例えば、３ＧＰＰ技術のＰＬＭＮのリスト）に格納される第１のブロック５０２を含む。一例として、識別情報は、３ＧＰＰ２アクセス技術の第１のグループ内の各ネットワーク又はシステムに関する又は識別する拡張ビット（群）から成り得る。従って、この例において、第１の検索データベースは、ＰＬＭＮのリストであり、無線システムアクセス技術（即ち３ＧＰＰ技術）の第２のグループに関するアクセス技術の優先順位に関係する。これは単に一実装形態であり、３ＧＰＰ２についての識別情報によりＰＬＭＮのリストを拡張することの代わりに、代替的に、ＰＲＬリストは、一例として、３ＧＰＰ技術についての識別情報で拡張することができることに留意されたい。従って、図５のために、第１及び第２のグループは、３ＧＰＰ、３ＧＰＰ２のそれぞれ、又は任意の他の適した技術グループとすることができ、第１及び第２のデータベースは、データベースが関する全ての技術グループ（例えば３ＧＰＰではＰＬＭＮ、３ＧＰＰ２ではＰＲＬなど）に関する検索データベース構造に対応し得る。
【００７３】
特定の一例によれば、拡張ビット（群）を、検索データベースに格納されたＰＬＭＮのリストにおけるＰＬＭＮに関連付けられたアクセス技術識別子（ＡＴＩＤ）に追加することができる。一例として、図６は、図４におけるデータベース４０４など、検索データベースに格納することができる例示のＰＬＭＮリスト構造６００の少なくとも一部分を示す。リスト構造６００は、リストがエントリ１から何らかの数Ｎまでの最高の優先順位から最低の優先順位の優先番号又は順位付けを含む。リスト６００のエントリにおける各エントリ（例えば第１のエントリ６０２）は、（例えば、上述した「無線システムアクセス技術の第１のグループ」など）３ＧＰＰ技術のために選択することができるＰＬＭＮに対応する。一例において、単一ビットは、一例として３ＧＰＰ２又はＷｉＭａｘなど、別のアクセス技術グループのサポートを示すために、リスト６００におけるＡＴＩＤのうちの１つ又は複数を拡張し、又はそれに追加することができる。さらに、単一ビットを、無線アクセス技術グループ（例えば３ＧＰＰ２）のサポートを示すために使用することができる。代替的に、無線アクセス技術グループ内の特定の無線アクセスシステム又はネットワークについてのさらなる情報を提供するために、複数ビットをリスト６００のＡＴＩＤに追加することができる。例えば、３ＧＰＰ２がサポートされる場合、単に例として、技術の３ＧＰＰ２グループの例において、追加のビットは、ｃｄｍａ２０００又はＥＶ  ＤＯなどの技術がサポートされることを示し得る。
【００７４】
図５に戻ると、ブロック５０２における第１の検索データベースへの拡張を確立した後、フローはブロック５０４に進む。このブロックで、次に、検索データベースに格納された識別情報に基づいて、無線システムアクセス技術の第１のグループ、及び無線システムアクセス技術の第２のグループのうちの一方から好適な無線通信システムアクセス技術が選択される。言い換えれば、第１のデータベースは、一次検索データベースとなる。例えば、図６のリストが与えられると、選択コントローラ（例えば図４のＳＣ４１０など）は、ＰＬＭＮリスト６００を使用して、ＰＬＭＮリストに存在するエントリからの３ＧＰＰ技術、又はＡＴＩＤ情報に追加される拡張ビットに基づく３ＧＰＰ２技術のいずれかを決定することができる。選択コントローラ又は類似の機能モジュールは、ＰＬＭＮリストにおける拡張情報を使用して、次に一態様におけるＡＴＩＤの拡張に基づいて３ＧＰＰ２ネットワーク又はシステムを検索するかどうかを決定することができることに留意されたい。次に、３ＧＰＰ２システムは、ＰＲＬを参照することによって検索され得る。さらに、このシナリオにおいて、見つけられた最適な３ＧＰＰシステムと見つけられた最適な３ＧＰＰ２システムとの間に競合が起こる場合、この競合は、ＰＬＭＮリスト又はＰＲＬのいずれかに対するあらかじめ決定された優先順位に基づいて解決され得ることが企図される。
【００７５】
他の態様によれば、図６のＰＬＭＮリスト６００の構造では、ＰＬＭＮ  ＡＴＩＤに対する拡張に追加のビットが使用される場合、ＰＲＬを無くすことができることが企図される。従って、選択コントローラは、機器がローミングしているとき検索するのに最適な３ＧＰＰ２システムを決定することができ、どのＧＰＰ２システムが好適であるかがわかるように構成される。
【００７６】
さらに他の一態様において、ＰＬＭＮリストを格納する検索データベースを拡張する例において、両方の３ＧＰＰ及び３ＧＰＰ２システム（又はＷｉＭａｘなど他の技術）を識別のためにＭＣＣ／ＭＮＣタプルによって識別することができることが企図される。従って、３ＧＰＰ２システムのオペレータは、システム識別にＭＣＣ／ＭＮＣを使用することになる。この使用に関して、３ＧＰＰ２ネットワークを、拡張システムパラメータメッセージ（ＥＳＰＭ）でＭＣＣ及びＭＮＣ情報フィールドをブロードキャストするように構成することができ、さらに、ＰＲＬは、ユーザ機器（ＵＥ）における検索データベース内のシステムレコードにＭＣＣ／ＭＮＣを含むことがさらに企図される。一例において、ＰＲＬは、ＵＥにおける選択コントローラに対して、地理的領域において見つけられる最適な３ＧＰＰ２システムのＭＣＣ／ＭＮＣを発行することができる。次いで、選択コントローラは、次に、ＰＬＭＮリストのＰＬＭＮデータベースなどの一次検索データベースを調べて、３ＧＰＰ及び３ＧＰＰ２（又はＷｉＭａｘ）システム中で優先順位を解決することになる。
【００７７】
上述したように、例えば、３ＧＰＰ２ネットワークを、拡張システムパラメータメッセージ（ＥＳＰＭ）又は均等物でＭＣＣ及びＭＮＣ情報フィールドをブロードキャストするとともに、ユーザ機器（ＵＥ）における検索データベース内のシステムレコード内にＭＣＣ／ＭＮＣを含むＰＲＬをブロードキャストするように構成することができることが企図される。しかし、３ＧＰＰ２ネットワークの全てのオペレータがＭＣＣ／ＭＮＣ情報をブロードキャストするとは限らない場合、又は、これに関してＰＲＬが完全ではない場合、最適な使用可能な又は好適な技術の選択（例えば、３ＧＰＰ技術又は３ＧＰＰ２技術の間を選択する）も完了することができない状況が生じ得る。
【００７８】
例示の目的で、図７は、単一の地理的エリア又はマーケットにわたって、サービスエリア及びオペレータのサービスの様々なレベルを示す。マーケット７００及びマーケット７００における様々なサービスエリア７０２内で、レベル７０６によって示されるように、オペレータＡは、西ではＬＴＥ（７１０）、東では１ｘＥＶ  ＤＯ（７１２）を提供し得る。別のオペレータ、オペレータＢは、レイヤ７０８によって示されるように、東ではＬＴＥ（７１４）を提供し、西ではＵＭＴＳ（７１６）を提供し得る。ＵＥ加入者が東に移動するとき、ＬＴＥがオペレータＡに加入するＵＥにおいてＰＬＭＮ優先順位に関して１×ＥＶ  ＤＯより好適であると仮定すると、ＭＣＣ／ＭＮＣ情報がない場合、オペレータＡのＥＶ  ＤＯネットワークよりむしろ、オペレータＢのＬＴＥネットワークが選択される。しかし、こうした場合、アクセス技術の選好（即ち、異なるアクセス技術グループ３ＧＰＰ２のオペレータＡのＥＶ  ＤＯネットワーク）は選択されない。
【００７９】
上記の状況を改善するために、他の態様において、ＵＥ、及びより具体的には、選択コントローラは、複数の無線アクセス技術（例えば３ＧＰＰ及び３ＧＰＰ２）から好適なシステム又はネットワーク中での選択を行うようにデータベース（例えば、ＰＲＬ及びＰＬＭＮリスト）中を仲裁するようにさらに構成することができる。特に、開示された装置及び方法は、無線システムアクセス技術（例えば、３ＧＰＰ２アクセス技術のＳＩＤ／ＮＩＤ）の第１のグループのシステムアクセス技術に関連付けられた識別子の、無線システムアクセス技術の第２のグループ（例えば、３ＧＰＰ技術のＭＣＣ／ＭＮＣ）に関連付けられた第２の識別子に対するマッピングを行う。
【００８０】
こうしたマッピングの一例として、図８は、ＳＩＤ／ＮＩＤの組み合わせをＭＣＣ／ＭＮＣの対に相関させ、又はマッピングするマッピングテーブル８００を示す。図示したように、テーブル８００における番号が振られた行エントリ（例えば行エントリ１からＮまで）のそれぞれは、関連のＳＩＤ及び／又はＮＩＤ（例えばＳ１、Ｎ２）を有するそれぞれのネットワーク又はシステムに対応する。次に各行は、ＳＩＤ／ＮＩＤを関連のＭＣＣ／ＭＮＣ値（例えばＣ１、Ｗ１）に相関させる。このテーブル８００は、ＵＥ内の、ＰＲＬデータベース又は対応するＳＩＭ、ＰＬＭＮリストデータベース又は対応するＳＩＭ、又は選択コントローラと通信している別のメモリ若しくはデータベースに格納することができることに留意されたい。テーブル８００は、特定のキャリアによって構築することができ、ＵＥに含まれる、又は３ＧＰＰオペレータ又は３ＧＰＰ２オペレータからのＯＴＡによる通信（例えばＯＴＡＳＰ）を介してプログラム又は更新されるようにすることができることにさらに留意されたい。
【００８１】
３ＧＰＰ２をサポートするためにＰＬＭＮリストのＡＴＩＤが拡張されている例を仮定すると、従ってＰＬＭＮリストは、ＭＣＣ／ＭＮＣを使用することができる３ＧＰＰ２オペレータを含む。図９は、無線アクセス技術の選択を決定するために、選択コントローラ（例えば図４のＳＣ１１０）によって実行され得る例示の方法９００を示す。この特定の例において、上記で開示した方法と同様に、技術の第２のグループ（即ち３ＧＰＰ）に関する第１のデータベースが拡張されている（即ち、ＰＬＭＮリストのＡＴＩＤが拡張されている）と仮定する。従って、方法９００は、ブロック９０２によって示されるアクセス技術の第１のグループ（即ち３ＧＰＰ２）に関係する第１の検索データベース（即ちＰＬＭＮ）に拡張情報を格納することを含む。
【００８２】
ブロック９０２の動作後、フローは、ブロック９０４に進み、ＵＥが現在配置されている特定の地理的位置においてサポートされる第１のグループ（即ち３ＧＰＰ２）内の最適な又は好適なシステムアクセス技術を選択すべきかどうかを決定するために、無線システムアクセス技術の第１のグループ（即ち、３ＧＰＰ２）に関するアクセス技術の少なくとも優先順位に関係する第２の検索データベース（即ち、ＰＲＬ）が検索され、調べられる。ブロック６０４のプロセスを、選択コントローラ（例えばＳＣ１１０）又は他の類似の機器又は機能モジュールによって実施することができる。これらの第１のグループ技術のデータベース（即ち、３ＧＰＰ２でのＰＲＬ）は、ＭＣＣ／ＭＮＣ又はＳＩＤ／ＮＩＤに基づいて識別を有することができることに留意されたい。
【００８３】
ＭＣＣ／ＭＮＣがＰＲＬ又はＰＬＭＮデータベースからわかる場合、ブロック９０４における動作に基づいて、決定された好適なアクセス技術の選択が行われることに留意されたい。ＭＣＣ／ＭＮＣがＰＲＬ又はＰＬＭＮデータベースから使用可能ではない場合、方法９００は、ブロック９０６に示すように、マッピングテーブル８００を調べて、第１のアクセス技術グループ（即ち３ＧＰＰ２）のＳＩＤ／ＮＩＤを、第２のアクセス技術グループ（即ち３ＧＰＰ）に使用可能な対応するＭＮＳ／ＭＣＣの対に変換するように構成される。選択コントローラは、次にＰＬＭＮリストを検索して、図５に示されるブロック５０４と同様に、ブロック９０８に示されるように、ＰＬＭＮリストにおける優先順位に基づいて、変換された３ＧＰＰ２を選択するかどうかを決定することができる。ブロック６０６及び６０８のプロセスは、ＳＣ４１０又は類似の装置又は機能モジュールによって行うことができることに留意されたい。
【００８４】
図７の図における例を再度参照し、図９の方法に照らして、オペレータＡのＵＥ加入者が東のサービスエリアに移動すると、図１０の例示のＰＲＬ１００２によって示されるように、どのネットワーク又はシステムが好適であるかを決定するために、ＵＥにおけるＰＲＬを調べることができる。所定の例において、選択コントローラは、取得テーブル１００４及びシステムテーブル１００６を調べて、この特定の例における「東」である（従って特定のシステムテーブル１００６がこの地理的位置のみに関することになる）特定の地理的位置における基地３ＧＰＰ２システムを決定することになる。取得インデックス１は、この特定の例において選好がより高いものであるため、ローミングインジケータがオンであるとき、他のネットワークタイプを介してセルラーＣＤＭＡ技術（即ち３ＧＰＰ２技術）が選択されることになる。
【００８５】
３ＧＰＰ２情報を含むために拡張されるＰＬＭＮリストでＭＣＣ／ＭＮＣがわかっていない場合、選択コントローラは、ＳＩＤ／ＮＩＤ−ＭＣＣ／ＭＮＣマッピングテーブル１００８を調べて、ＳＩＤ／ＮＩＤ  Ｓ１及びＮ１を３１０／２のＭＣＣ／ＭＮＣに変換する。この情報に基づいて、選択コントローラが好適なネットワーク又はシステムの選択のためにＰＬＭＮリスト１０１０を参照するとき、（例えば、図７でわかるように１×ＥＶＤＯ７１４など）３ＧＰＰ２技術に対応する東エリアのＭＣＣ／ＭＮＣ３１０／２が同じ地理的「東」の位置におけるオペレータＢのＬＴＥ７１６より優先であることがわかり得る。従って、好適な３ＧＰＰ２アクセス技術が選択され、従って図７の例の説明において上述したシナリオを補正する。
【００８６】
ＰＲＬとＰＬＭＮとの間のさらなる競合の場合、一例として、ＰＬＭＮの優先順位のＰＲＬの無効化などの追加のルールが３ＧＰＰ２システムに使用され得ることに留意されたい。また、３ＧＰＰ２ローミングパートナーが相関関係のあるＭＣＣ／ＭＮＣを有していないとき、サービスの順序を両方のＭＣＣ／ＭＮＣ及びＳＩＤ／ＮＩＤの対に基づかせるように追加のトリアージデータベース（triage database）（図示せず）を構築することができることが企図される。
【００８７】
本明細書に記載した実施形態の１つ以上の態様によれば、複数の無線システムアクセス技術からのシステム選択の方法が提供される。図１１Ａに示されるフロー図を参照すると、ＵＥ又はそのコンポーネントで実行することができる方法１１００が提供される。この方法１１００は、第１のグループ及び第２のグループを備え得る複数の無線システムアクセス技術からシステム／ネットワークを選択することを伴い得る。方法１１００は、ステップ１１１０で、第２のグループに関するアクセス技術のそれぞれの優先順位に関係するデータベースに第１のグループに関する識別情報を格納することを伴い得る。方法１１００は、ステップ１１２０で、データベースに格納された識別情報に少なくとも一部分基づいて、第１及び第２のグループのうちの一方から好適なアクセス技術を選択することを伴い得る。
【００８８】
一実施形態では、ステップ１１１０は、データベースに列挙された第１のグループの所定のシステムごとに、所定のシステムを識別する少なくとも１つの拡張ビットを格納することを伴い得る（ステップ１１１２）。ステップ１１１０は、データベースにおける所定のシステムに関連付けられた識別子に少なくとも１つの拡張ビットを追加することを伴い得る（ステップ１１１４）。関連の態様では、識別子は、アクセス技術識別子（ＡＴＩＤ）を備え得る。さらなる関連の態様では、データベースは、第１のグループ及び第２のグループのうちの少なくとも一方からのアクセス技術の優先順位を付けるためのリスト構造を備え得る。
【００８９】
例えば、少なくとも１つの拡張ビットは、第１のグループのアクセス技術のサポートを示し得る。第１のグループは、３ＧＰＰ２技術を備え得る。第２のグループは、３ＧＰＰ技術を備え得る。データベースは、３ＧＰＰ技術に関連付けられたパブリックランドモバイルネットワーク（ＰＬＭＮ）のリストを備え得る。少なくとも１つの拡張ビットは、ＰＬＭＮのリストの少なくとも１つのエントリを拡張することができる。図１１Ｂを参照すると、方法１１００は、３ＧＰＰ２技術に関連付けられたPreferred Roaming List（ＰＲＬ）にアクセスすることを伴い、ＰＲＬは、システムテーブル及び取得テーブルを備える（ステップ１１３０）。
【００９０】
ＰＲＬのシステムテーブルは、３ＧＰＰ２技術のうちの少なくとも１つについて、少なくとも１つのシステム識別子（ＳＩＤ）／ネットワーク識別子（ＮＩＤ）の組み合わせを含み得る。代替的に、又は追加的に、ＰＲＬのシステムテーブルは、３ＧＰＰ２技術のうちの少なくとも１つについて、少なくとも１つのサブネットＩＤを含み得る。ＰＲＬのシステムテーブルは、３ＧＰＰ２技術のうちの少なくとも１つについて、少なくとも１つのモバイル国コード（ＭＣＣ）／モバイルネットワークコード（ＭＮＣ）の対を備えるように構成することができる。関連の態様では、方法１１００は、システムテーブルの所定のＭＣＣ／ＭＮＣの対について、システムテーブルから対応する取得インデックスを取得することを伴い、取得インデックスは、取得テーブルに列挙される周波数のうちの少なくとも１つを指す（ステップ１１４０）。
【００９１】
ＰＬＭＮのリストは、３ＧＰＰ２技術のうちの少なくとも１つについて、少なくとも１つのＭＣＣ／ＭＮＣの対を含み得る。方法１１００は、ステップ１１５０で、少なくとも１つのＭＣＣ／ＭＮＣの対を使用して、対応するＳＩＤ／ＮＩＤの対及び対応するサブネットＩＤのうちの少なくとも一方を見つけることを伴い得る。ステップ１１５０は、ＭＣＣ／ＭＮＣの対を対応するＳＩＤ／ＮＩＤの組み合わせに相関させるマッピングテーブルをチェックすることを備え得る（ステップ１１５２）。
【００９２】
方法１１００は、ステップ１１６０で、少なくとも１つの３ＧＰＰ２システムから少なくとも１つの拡張システムパラメータメッセージ（ＥＳＰＭ）で少なくとも１つのＭＣＣ／ＭＮＣの対を受信することを伴い得る。この方法は、ステップ１１６２で、データベース及びＰＲＬのうちの少なくとも一方に、少なくとも１つの受信したＭＣＣ／ＭＮＣの対を格納することをさらに伴い得る。
【００９３】
図１１Ｃを参照すると、方法１１００は、ステップ１１７０で、ＰＲＬにおけるＳＩＤ／ＮＩＤの組み合わせ及び／又はサブネットＩＤを使用して、例えば、ＳＩＤ／ＮＩＤの組み合わせ及び／又はサブネットＩＤを対応するＭＣＣ／ＭＮＣの対に相関させるマッピングテーブルをチェックすることによって、対応するＭＣＣ／ＭＮＣの対を見つけることを伴い得る。方法１１００は、ステップ１１８０で、データベース及びＰＲＬのうちの少なくとも一方を調べて、３ＧＰＰ及び３ＧＰＰ２システム中で優先順位を解決することを伴い得る。
【００９４】
関連の態様では、選択された好適なアクセス技術は、少なくとも１つの３ＧＰＰ２システムに対応し、少なくとも１つの３ＧＰＰ２システムは、ＭＣＣ／ＭＮＣの対に関連付けられておらず、ＰＬＭＮのリストは、３ＧＰＰ２技術に対応する少なくとも１つのブロックエントリを含む一実施形態が提供される。方法１１００は、ステップ１１９０で、少なくとも１つのブロックエントリに遭遇することに応答して、（ａ）完全なＰＲＬスキャンを実行して、全ての使用可能な３ＧＰＰ２技術を検索し、（ｂ）使用可能な３ＧＰＰ２システムにキャンプオンすることを伴い得る。
【００９５】
代替的に、この方法は、ＰＲＬに列挙されたＧＥＯ及び取得レコードを使用して、ＰＬＭＮのリストに含まれる３ＧＰＰ２システムのスキャンをスピードアップすることを伴い得る（ステップ１１９３）。
【００９６】
さらなる関連の態様では、データベースは、特定の領域の地理空間であるシステム優先順位リストを備え得る。システム優先順位リストは、ＰＬＭＮのリストを備える。データベースは、システムテーブル及び取得テーブルを備え得る。
【００９７】
別の実施形態では、識別情報は、第１のグループにおけるワールドワイドインターオペラビリティフォーマイクロウェーブアクセス（ＷｉＭａｘ）技術に関し、第２のグループにおける３ＧＰＰ技術のＰＬＭＮのリストの少なくとも１つのエントリを拡張するために使用することができる。別の実施形態では、第２のグループは、３ＧＰＰ２技術を備え得る。データベースは、３ＧＰＰ２技術に関連付けられたＰＲＬを備え得る。識別情報は、３ＧＰＰ技術に関し、ＰＲＬの少なくとも１つのエントリを拡張するために使用することができる。方法１１００は、ステップ１１９５で、３ＧＰＰ技術に関連付けられたＰＬＭＮリストにアクセスすることを伴い、ＰＬＭＮリストは、図１１Ｃに示される３ＧＰＰ技術のそれぞれについてのＭＣＣ／ＭＮＣの対を備える。
【００９８】
本明細書に記載した実施形態の１つ以上の態様によれば、複数の無線システムアクセス技術からのシステム選択の別の方法が提供される。図１２に示されるフロー図を参照すると、ＵＥ又はそのコンポーネントで実行することができる方法１２００が提供される。方法１２００は、第１のグループ及び第２のグループを備え得る複数の無線システムアクセス技術からシステム／ネットワークを選択することを伴い得る。方法１２００は、ステップ１２１０で、第２のグループに関するメインデータベースに第１のグループに関係する拡張情報を格納することを伴い得る。方法１２００は、ステップ１２２０で、好適なアクセス技術は、ＵＥの現在の地理的位置の第１のグループから選択することができるかどうかを決定するために、第１のグループに関するアクセス技術のそれぞれの優先順位に関係する二次データベースを検索することを伴い得る。
【００９９】
例えば、拡張情報は、メインデータベースに列挙された第１のグループの所定のアクセス技術ごとに、所定のアクセス技術を識別する少なくとも１つの拡張ビットを備え得る。一実施形態では、第１のグループは、３ＧＰＰ２技術を備え、第２のグループは、３ＧＰＰ技術を備え得る。メインデータベースは、ＰＬＭＮリストを備え、二次データベースは、ＰＲＬを備え得る。
【０１００】
関連の態様では、方法１２００は、ステップ１２３０で、マッピングテーブルを調べて、第１のグループの好適なアクセス技術の第１の識別子を、第２のグループに使用可能な対応する第２の識別子に変換することを伴い得る。例えば、第１の識別子は、ＳＩＤ／ＮＩＤの組み合わせを備え、第２の識別子は、ＭＮＣ／ＭＣＣの対を備え得る。方法１２００は、ステップ１２４０で、メインデータベースにおけるＰＬＭＮリストに少なくとも一部分基づいて、第１のグループの好適なアクセス技術を選択するかどうかを決定することを伴い得る。ＰＬＭＮリストは、優先順位を備え、ステップ１２４０は、優先順位に少なくとも一部分基づいて好適なアクセス技術を選択するかどうかを決定することを備え得る（ステップ１２４２）。
【０１０１】
本明細書に記載した実施形態の１つ以上の態様によれば、第１のグループ及び第２のグループを備える複数の無線システムアクセス技術からのシステム選択のための機器及び装置が提供されている。図１３Ａを参照すると、ＵＥ又は類似の通信機器内で使用するためのＵＥ又はプロセッサ若しくは類似の機器として構成され得る例示の装置１３００が提供される。図示されているように、装置１３００には、プロセッサ、ソフトウェア、又はその組み合わせ（例えばファームウェア）によって実施される機能を表すことができる機能ブロックがあり得る。
【０１０２】
図示したように、装置１３００は、第２のグループに関するアクセス技術のそれぞれの優先順位に関係するデータベースに第１のグループに関する識別情報を格納するための電気コンポーネント１３２０を備え得る。例えば、装置１３００は、データベースに格納された識別情報に少なくとも一部分基づいて、第１及び第２のグループのうちの一方から好適なアクセス技術を選択するための電気コンポーネント１３３０を備え得る。関連の態様では、識別情報は、データベースに列挙された第１のグループの所定のシステムごとに、所定のシステムを識別する少なくとも１つの拡張ビットを備え得る。装置１３００は、データベースにおける所定のシステムに関連付けられた識別子（例えばＡＴＩＤ）に少なくとも１つの拡張ビットを追加するための電気コンポーネント１３４０を備え得る。データベースは、第１のグループ及び第２のグループのうちの少なくとも一方からのアクセス技術の優先順位を付けるためのリスト構造を備え得る。
【０１０３】
一実施形態では、少なくとも１つの拡張ビットは、第１のグループのアクセス技術のサポートを示し得る。第１のグループは、３ＧＰＰ２技術を備え、第２のグループは、３ＧＰＰ技術を備え得る。データベースは、３ＧＰＰ技術に関連付けられたＰＬＭＭのリストを備え得る。少なくとも１つの拡張ビットは、ＰＬＭＮのリストの少なくとも１つのエントリを拡張することができる。少なくとも１つのプロセッサは、３ＧＰＰ２技術に関連付けられたＰＲＬにアクセスすることができ、ＰＲＬは、システムテーブル及び取得テーブルを備える。
【０１０４】
関連の態様では、ＰＲＬのシステムテーブルは、３ＧＰＰ２技術の少なくとも１つについて、少なくとも１つのＳＩＤ／ＮＩＤの組み合わせを備え得る。代替的に、又は追加的に、システムテーブルは、３ＧＰＰ２技術の少なくとも１つについて、少なくとも１つのサブネットＩＤを備え得る。さらなる関連の態様では、ＰＲＬのシステムテーブルは、３ＧＰＰ２技術の少なくとも１つについて、少なくとも１つのＭＣＣ／ＭＮＣの対を備えるように構成され得る。装置１３００は、システムテーブルにおける所定のＭＣＣ／ＭＮＣの対について、システムテーブルから対応する取得インデックスを取得するための電気コンポーネント１３５０を備え、取得インデックスは、取得テーブルに列挙された周波数のうちの少なくとも１つを指すことができる。
【０１０５】
別の実施形態では、ＰＬＭＮのリストは、３ＧＰＰ２技術のうちの少なくとも１つについて、少なくとも１つのＭＣＣ／ＭＮＣの対を備え得る。図１３Ｂを参照すると、装置１３００は、少なくとも１つのＭＣＣ／ＭＮＣの対を使用して、対応するＳＩＤ／ＮＩＤの対及び対応するサブネットＩＤのうちの少なくとも一方を見つけるための電気コンポーネント１３６０を備え得る。装置１３００は、ＭＣＣ／ＭＮＣの対を対応するＳＩＤ／ＮＩＤの組み合わせに相関させるマッピングテーブルをチェックするための電気コンポーネント１３６２をさらに備え得る。
【０１０６】
関連の態様では、装置１３００は、少なくとも１つの３ＧＰＰ２システムから少なくとも１つのＥＳＰＭで少なくとも１つのＭＣＣ／ＭＮＣの対を受信するための電気コンポーネント１３７０を備え得る。装置１３００は、データベース及びＰＲＬのうちの少なくとも一方に、少なくとも１つの受信したＭＣＣ／ＭＮＣの対を格納するための電気コンポーネント１３７２をさらに備え得る。
【０１０７】
図１３Ｃを参照すると、さらなる関連の態様では、装置１３００は、ＰＲＬにおけるＳＩＤ／ＮＩＤの組み合わせ及び／又はサブネットＩＤを使用して、例えば、ＳＩＤ／ＮＩＤの組み合わせ及び／又はサブネットＩＤを対応するＭＣＣ／ＭＮＣの対に相関させるマッピングテーブルをチェックすることによって、対応するＭＣＣ／ＭＮＣの対を見つけるための電気コンポーネント１３８０を備え得る。装置１３００は、データベース及びＰＲＬのうちの少なくとも一方を調べて、３ＧＰＰ及び３ＧＰＰ２システム中で優先順位を解決するための電気コンポーネント１３９０を備え得ることに留意されたい。
【０１０８】
さらに別の実施形態では、選択された好適なアクセス技術は、少なくとも１つの３ＧＰＰ２システムに対応し、少なくとも１つの３ＧＰＰ２システムは、ＭＣＣ／ＭＮＣの対に関連付けられておらず、ＰＬＭＮのリストは、３ＧＰＰ２技術に対応する少なくとも１つのブロックエントリを含む。装置１３００は、図１３Ｃに示されるように、少なくとも１つのブロックエントリに遭遇することに応答して、（ａ）完全なＰＲＬスキャンを実行して、全ての使用可能な３ＧＰＰ２技術を検索し、（ｂ）使用可能な３ＧＰＰ２システムにキャンプオンするための電気コンポーネント１３９３をさらに備え得る。
【０１０９】
或いは、装置１３００は、ＰＲＬに列挙されたＧＥＯ及び取得レコードを使用して、ＰＬＭＮのリストに含まれる３ＧＰＰ２システムのスキャンをスピードアップするための電気コンポーネント１３９５を備え得る。
【０１１０】
さらに別の実施形態では、データベースは、特定の領域の地理空間であるシステム優先順位リストを備え得る。システム優先順位リストは、ＰＬＭＮのリストを備え得る。データベースは、システムテーブル及び取得テーブルを備え得る。
【０１１１】
装置１３００は、プロセッサとしてではなく、通信機器として構成される装置１３００の場合、少なくとも１つのプロセッサを有するプロセッサモジュール１３１０をオプションで含み得ることに留意されたい。プロセッサ１３１０は、こうした場合、バス１３１２又は類似の通信結合を介してコンポーネント１３２０〜１３９５と動作可能に通信してもよい。プロセッサ１３１０は、コンポーネント１３２０〜１３９５によって実行されるプロセス又は機能の開始及びスケジューリングを実行し得る。
【０１１２】
関連の態様では、装置１３００は、トランシーバモジュール１３１４を含み得る。スタンドアロン受信機及び／又はスタンドアロン送信機は、トランシーバ１３１４の代わりに、又はそれと共に使用することができる。さらなる関連の態様では、装置１３００は、例えばメモリ機器／モジュール１３１６など、情報を格納するための電気コンポーネントをオプションで含み得る。コンピュータ可読媒体又はメモリ機器／モジュール１３１６を、バス１３１２などを介して装置１３００の他のコンポーネントに動作可能に結合することができる。コンピュータ可読媒体又はメモリ機器１３１６は、コンポーネント１３２０〜１３９５、及びそのサブコンポーネント、又はプロセッサ１３１０、又は本明細書に開示した方法のプロセス及び挙動を行うためのコンピュータ可読命令及びデータを格納するように構成することができる。メモリモジュール１３１６は、電気コンポーネント１３２０〜１３９５に関連付けられた機能を実行するための命令を保持することができる。メモリ１３１６の外部にあるように示されているが、電気コンポーネント１３２０〜１３９５は、メモリ１３１６内に存在していてもよいことを理解されたい。
【０１１３】
本明細書に記載した実施形態の１つ以上の態様によれば、複数の無線システムアクセス技術からのシステム選択のための別の装置が提供される。図１４を参照すると、ＵＥ又は類似の通信機器内で使用するためのＵＥ又はプロセッサ若しくは類似の機器として構成され得る例示の装置１４００が提供される。図示されているように、装置１４００には、プロセッサ、ソフトウェア、又はその組み合わせ（例えばファームウェア）によって実施される機能を表すことができる機能ブロックがあり得る。
【０１１４】
図示されているように、装置１４００は、第２のグループに関するメインデータベースに第１のグループに関係する拡張情報を格納するための電気コンポーネント１４２０を備え得る。装置１４００は、好適なアクセス技術を、機器の現在の地理的位置の第１のグループから選択することができるかどうかを決定するために、第１のグループに関するアクセス技術のそれぞれの優先順位に関係する二次データベースを検索するための電気コンポーネント１４３０を備え得る。
【０１１５】
例えば、拡張情報は、メインデータベースに列挙された第１のグループの所定のアクセス技術ごとに、所定のアクセス技術を識別する少なくとも１つの拡張ビットを備え得る。一実施形態では、第１のグループは、３ＧＰＰ２技術を備え、第２のグループは、３ＧＰＰ技術を備え得る。メインデータベースは、ＰＬＭＮリストを備え、二次データベースは、ＰＲＬを備え得る。
【０１１６】
関連の態様では、装置１４００は、マッピングテーブルを調べて、第１のグループの好適なアクセス技術の第１の識別子を、第２のグループに使用可能な対応する第２の識別子に変換するための電気コンポーネント１４４０を備え得る。第１の識別子は、ＳＩＤ／ＮＩＤの組み合わせを備え、第２の識別子は、ＭＮＣ／ＭＣＣの対を備え得る。
【０１１７】
さらなる関連の態様では、装置１４００は、メインデータベースにおけるＰＬＭＮリストに少なくとも一部分基づいて、第１のグループの好適なアクセス技術を選択するかどうかを決定するための電気コンポーネント１４５０を備え得る。例えば、ＰＬＭＮリストは、優先順位を備え、装置１４００は、優先順位に少なくとも一部分基づいて好適なアクセス技術を選択するかどうかを決定するための電気コンポーネント１４５２を備え得る。
【０１１８】
装置１４００は、プロセッサとしてではなく、通信機器として構成される装置１４００の場合、少なくとも１つのプロセッサを有するプロセッサモジュール１４１０をオプションで含み得ることに留意されたい。プロセッサ１４１０は、こうした場合、バス１４１２又は類似の通信結合を介してコンポーネント１４２０〜１４９５と動作可能に通信してもよい。プロセッサ１４１０は、コンポーネント１４２０〜１４９５によって実行されるプロセス又は機能の開始及びスケジューリングを実行し得る。
【０１１９】
関連の態様では、装置１４００は、トランシーバモジュール１４１４を含み得る。スタンドアロン受信機及び／又はスタンドアロン送信機は、トランシーバ１４１４の代わりに、又はそれと共に使用することができる。さらなる関連の態様では、装置１４００は、例えばメモリ機器／モジュール１４１６など、情報を格納するための電気コンポーネントをオプションで含み得る。コンピュータ可読媒体又はメモリ機器／モジュール１４１６を、バス１４１２などを介して装置１４００の他のコンポーネントに動作可能に結合することができる。コンピュータ可読媒体又はメモリ機器１４１６は、コンポーネント１４２０〜１４９５、及びそのサブコンポーネント、又はプロセッサ１４１０、又は本明細書に開示した方法のプロセス及び挙動を行うためのコンピュータ可読命令及びデータを格納するように構成することができる。メモリモジュール１４１６は、電気コンポーネント１４２０〜１４９５に関連付けられた機能を実行するための命令を保持することができる。メモリ１４１６の外部にあるように示されているが、電気コンポーネント１４２０〜１４９５は、メモリ１４１６内に存在していてもよいことを理解されたい。
【０１２０】
本明細書に記載した実施形態の１つ以上の態様によれば、いくつかのカテゴリのうちの１つに従って、システム選択の上記の技法を特徴付けることができる。第１の技法は、ｃｄｍａ２０００  ＭＣＣ／ＭＮＣブロードキャストを想定すると、３ＧＰＰ２取得テーブルによる選択のためにＰＬＭＮデータベースを実施するものとして説明され得る。
【０１２１】
第２の技法は、ＳＩＤ／ＮＩＤ及び／若しくはサブネットＩＤのＭＣＣ／ＭＮＣマッピングテーブルへの追加として、又はその逆として、ならびに／又は関連付けテーブル（ハイブリッド１×ＤＯをサポートするための）への追加として説明され得る。第３の技法は、３ＧＰＰ２全体にわたっての（例えば、インターリーブが限定されている、又はない）選択のために、国ごとの単一の３ＧＰＰ２エントリがＰＲＬを指すＰＬＭＮデータベースのみを使用するものとして説明され得る。
【０１２２】
第４の技法は、３ＧＰＰ２システムにキャンプオンするとき、システム選択にＰＲＬを使用するために、ＰＬＭＮデータベースを実施するものとして説明され得る。この技法は、ＳＩＤ／ＮＩＤの対又はサブネットＩＤをＭＣＣ／ＭＮＣマッピングテーブルに含めること、又はその逆を伴い得る。この技法は、３ＧＰＰスキャンを含めて、３ＧＰＰ２のときに背景スキャンを行うことも伴い得る。
【０１２３】
第５の技法は、システム優先順位を除いて、ＰＲＬの全ての特徴が使用される（例えば、関連のＤＯ、取得テーブルなど）、システム選択にＰＬＭＮデータベースを使用するものとして説明され得る。この技法は、ＳＩＤ／ＮＩＤの対又はサブネットＩＤをＭＣＣ／ＭＮＣマッピングテーブルに含めること、又はその逆も伴い得る。
【０１２４】
第６の技法は、下位互換性を残す個別の強化されたＰＬＭＮデータベースにおけるＰＲＬ概念を本質的に追加することによって、ＰＬＭＮデータベースへの強化を実施するものとして記載され得る。関連の態様では、ＰＲＬ概念は、３ＧＰＰシステム選択方法に導入され得る。基本的な概念は、グローバルではなく、むしろ特定の領域に固有の地理空間である新規のシステム優先順位リストを作成することである。例えば、この新規のフレックスＧＥＯリストは、ＰＬＭＮリストとは別の、個別のリストとすることができる。図１５Ａを参照すると、特定の地理的領域ごとに、３つのリスト１５１０、１５２０、及び１５３０を含むフレックスＧＥＯテーブル１５００の一実施形態が示される。フレックスＧＥＯテーブルへの「ポインティング」の方法にはいくつかあり得る。一手法では、ＡＴＩ（ＲＡＴビットマップ）における予備ビットからの１ビットが３ＧＰＰ「ＰＲＬ」へのポインタとして働く。好適な手法は、ＰＬＭＮリストへの任意の変更無しに（即ち、ビットをとる必要無しに）単に新規のフレックスＧＥＯテーブルを含むことを伴う。
【０１２５】
関連の態様では、フレックスＧＥＯテーブルは、システムテーブル及び取得テーブル、又はその変形を備え得る。図１５Ｂを参照すると、フレックスＧＥＯテーブルと共に使用することができるシステムテーブル１５５０の一実施形態が示される。図１５Ｃを参照すると、フレックスＧＥＯテーブルと共に使用することができる取得テーブル１５７０の一実施形態が示される。取得テーブル１５７０は、例えば取得インデックス、帯域クラス、チャネル、及びＯＦＤＭ、ＣＤＭＡなどをサポートするための他のオプションのフィールドなど多数のパラメータを含み得る。一手法において、選択すべきシステム／ネットワークの優先順位を付けるために、ＧＥＯ、スキャンテーブルに対するインデックス（追加の効率的なスキャンが望まれる場合）、及び追加の優先順位データ／情報（同じ優先順位レベルで複数のシステムをサポートする場合）のうちの１つ又は複数を使用することができる。
【０１２６】
開示されたプロセスにおけるステップの特定の順序又は階層は、例示の手法の一例であることを理解されたい。設計の選好に基づいて、プロセスにおけるステップの特定の順序又は階層は、本開示の範囲を逸脱することなく再配列することができることを理解されたい。付随の方法クレームは、サンプルの順序における様々なステップの要素を提示し、提示された特定の順序又は階層に制限されることを意味するものではない。
【０１２７】
情報及び信号は、様々な異なる技術及び技法のうちの任意のものを使用して表され得ることを当業者であれば理解されよう。例えば、上記の記述にわたって参照され得るデータ、命令、コマンド、情報、信号、ビット、シンボル、及びチップは、電圧、電流、電磁波、磁場若しくは粒子、光学場若しくは粒子、又はその任意の組み合わせによって表され得る。
【０１２８】
本明細書に開示した実施形態との関係で記載した様々な例示の論理ブロック、モジュール、回路、及びアルゴリズムステップは、電子ハードウェア、コンピュータソフトウェア、又はその両方の組み合わせとして実施することができることを当業者はさらに理解されたい。ハードウェア及びソフトウェアのこの交換可能性を明確に示すために、上記では、様々な例示のコンポーネント、ブロック、モジュール、回路、手段、及びステップを、機能に関して全体的に説明してきた。こうした機能がハードウェアとして実装されるか、ソフトウェアとして実装されるかは、システム全体に課せられる特定のアプリケーション及び設計の制限に応じて決まる。当業者は、特定の用途ごとに様々な方法で記載した機能を実施することができるが、こうした実装の決定は、本開示の範囲からの逸脱をもたらすものとして解釈されないものとする。
【０１２９】
本明細書に開示した実施形態との関連で記載した様々な例示の論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラム可能論理装置、個別のゲート又はトランジスタロジック、個別のハードウェアコンポーネント、又は本明細書に記載した機能を実行するように設計されたその任意の組み合わせにより実装され、又は実行され得る。汎用プロセッサは、マイクロプロセッサとすることができるが、代替形態では、プロセッサは、任意の従来のプロセッサ、コントローラ、マイクロコントローラ、又はステートマシンとすることができる。プロセッサは、コンピューティング機器の組み合わせ、例えば、ＤＳＰとマイクロプロセッサとの組み合わせ、複数のマイクロプロセッサ、１つ以上のマイクロプロセッサをＤＳＰコアと共に、又は任意の他のこうした構成としても実装され得る。
【０１３０】
本明細書に開示した実施形態と共に記載される方法又はアルゴリズムのステップは、直接的にハードウェア、プロセッサによって実行されるソフトウェアモジュール、又は２つの組み合わせに組み込むことができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し式ディスク、ＣＤ−ＲＯＭ、又は当技術分野で知られている他の任意の形の格納媒体に存在し得る。例示の格納媒体（図示せず）は、プロセッサが格納媒体から情報を読み取り、そこに情報を書き込むことができるようにプロセッサに結合され得る。代替形態において、格納媒体は、プロセッサに一体化されてもよい。プロセッサ及び格納媒体は、ＡＳＩＣに存在し得る。ＡＳＩＣは、ユーザ端末に存在し得る。代替形態において、プロセッサ及び格納媒体は、ユーザ端末の個別のコンポーネントとして存在し得る。
【０１３１】
上述した例は、単に例示であり、当業者は、本明細書に開示した本発明の概念から逸脱することなく、上記の例を数多く使用し、そこから発展したものを作り出すことができよう。これらの例の様々な変更は、当業者には容易に明らかであり、本明細書に定義された一般的な原理は、本明細書に記載した新規の態様の意図又は範囲から逸脱することなく、例えばインスタントメッセージングサービス又は任意の一般的な無線データ通信アプリケーションなど、他の例に適用され得る。従って、本開示の範囲は、本明細書に示した例に限定されるのではなく、本明細書に開示した原理及び新規の特徴に矛盾しない最も広い範囲が与えられるものとする。「例示」という単語は、本明細書ではもっぱら「例、例示、例証として働く」ことを意味するために使用されることに留意されたい。「例示」として本明細書に記載した任意の例は、必ずしも他の例より好適又は有利なものとして解釈されるものではない。
以下に本件出願当初の特許請求の範囲に記載された発明を付記する。
［１］  第１のグループ及び第２のグループを含む複数の無線システムアクセス技術からシステム選択をするための方法であって、前記第２のグループに関する前記アクセス技術のそれぞれの優先順位に関係するデータベースに前記第１のグループに関する識別情報を格納することと、前記データベースに格納された前記識別情報に少なくとも部分的に基づいて、前記第１及び第２のグループのうちの一方から好適なアクセス技術を選択することと  を備える方法。
［２］  前記識別情報を格納することが、前記データベースに列挙された前記第１のグループの所定のシステムごとに、前記所定のシステムを識別する少なくとも１つの拡張ビットを格納することを備える［１］に記載の方法。
［３］  前記少なくとも１つの拡張ビットを格納することが、前記少なくとも１つの拡張ビットをアクセス技術識別子（ＡＴＩＤ）に追加することを備える［２］に記載の方法。
［４］  前記データベースが、前記第１のグループ及び前記第２のグループのうちの少なくとも一方からのアクセス技術の優先順位を付けるためのリスト構造を備え、前記少なくとも１つの拡張ビットが前記第１のグループの前記アクセス技術のサポートを示す［１］に記載の方法。
［５］  前記第１のグループが、第三世代提携プロジェクト2（３ＧＰＰ２）技術を備え、前記第２のグループが第三世代提携プロジェクト（３ＧＰＰ）技術を備える［４］に記載の方法。
［６］  前記データベースが、前記３ＧＰＰ技術に関連付けられたパブリックランドモバイルネットワーク（ＰＬＭＮ）のリストを備え、前記少なくとも１つの拡張ビットが前記ＰＬＭＮの前記リストの少なくとも１つのエントリを拡張する［５］に記載の方法。
［７］  前記３ＧＰＰ２技術に関連付けられた好適ローミングリスト（ＰＲＬ）にアクセスすることをさらに備え、前記ＰＲＬがシステムテーブル及び取得テーブルを備え、前記ＰＲＬの前記システムテーブルが、前記３ＧＰＰ２技術のうちの少なくとも１つについて、少なくとも１つのシステム識別子（ＳＩＤ）／ネットワーク識別子（ＮＩＤ）の組み合わせを備える［６］に記載の方法。
［８］  前記ＰＲＬの前記システムテーブルが、前記３ＧＰＰ２技術のうちの少なくとも１つについて、少なくとも１つのモバイル国コード（ＭＣＣ）／モバイルネットワークコード（ＭＮＣ）の対を含むように構成されることに応答して、前記システムテーブルにおける所定のＭＣＣ／ＭＮＣの対について、前記システムテーブルから対応する取得インデックスを取得することをさらに備え、前記取得インデックスが前記取得テーブルに列挙された前記周波数のうちの少なくとも１つを指す［７］に記載の方法。
［９］  前記ＰＬＭＮの前記リストが、前記３ＧＰＰ２技術のうちの少なくとも１つについて、少なくとも１つのＭＣＣ／ＭＮＣの対を含むことに応答して、前記少なくとも１つのＭＣＣ／ＭＮＣの対を使用して、対応するＳＩＤ／ＮＩＤの対及び対応するサブネットＩＤのうちの少なくとも１つを見つけることをさらに備える［７］に記載の方法。
［１０］  前記少なくとも１つのＭＣＣ／ＭＮＣの対を使用することが、ＭＣＣ／ＭＮＣの対を対応するＳＩＤ／ＮＩＤの組み合わせに相関させるマッピングテーブルをチェックすることを備える［９］に記載の方法。
［１１］  少なくとも１つの３ＧＰＰ２システムから少なくとも１つの拡張システムパラメータメッセージ（ＥＳＰＭ）で少なくとも１つのＭＣＣ／ＭＮＣの対を受信することをさらに備える［７］に記載の方法。
［１２］  前記ＰＲＬにおけるＳＩＤ／ＮＩＤの組み合わせを使用して、ＳＩＤ／ＮＩＤの組み合わせを対応するＭＣＣ／ＭＮＣの対に相関させるマッピングテーブルをチェックすることによって、対応するＭＣＣ／ＭＮＣの対を見つけることをさらに備える［７］に記載の方法。
［１３］  前記選択された好適なアクセス技術が少なくとも１つの３ＧＰＰ２システムに対応し、前記少なくとも１つの３ＧＰＰ２システムが、ＭＣＣ／ＭＮＣの対に関連付けられておらず、ＰＬＭＮの前記リストが、前記３ＧＰＰ２技術に対応する少なくとも１つのブロックエントリを備える  ［７］に記載の方法。
［１４］  前記少なくとも１つのブロックエントリに遭遇することに応答して、（ａ）完全なＰＲＬスキャンを実行して、全ての使用可能な３ＧＰＰ２技術を検索し、（ｂ）使用可能な３ＧＰＰ２システムにキャンプオンすることをさらに備える［１３］に記載の方法。
［１５］  前記ＰＲＬに列挙されたＧＥＯ及び取得レコードを使用して、前記ＰＬＭＮの前記リストに含まれる３ＧＰＰ２システムのスキャンをスピードアップすることをさらに備える［７］に記載の方法。
［１６］  第１のグループ及び第２のグループを備える複数の無線システムアクセス技術からのシステム選択のための方法であって、前記第２のグループに関するメインデータベースに前記第１のグループに関係する拡張情報を格納することと、好適なアクセス技術をユーザ機器の現在の地理的位置について前記第１のグループから選択することができるかどうかを決定するために、前記第１のグループに関する前記アクセス技術のそれぞれの優先順位に関係する二次データベースを検索することと  を備える方法。
［１７］  前記拡張情報が、前記メインデータベースに列挙された前記第１のグループの所定のアクセス技術ごとに、前記所定のシステムを識別する少なくとも１つの拡張ビットを備える［１６］に記載の方法。
［１８］  マッピングテーブルを調べて、前記第１のグループの前記好適なアクセス技術の第１の識別子を、前記第２のグループに使用可能な対応する第２の識別子に変換することをさらに備える［１６］に記載の方法。
［１９］  第１のグループ及び第２のグループを備える複数の無線システムアクセス技術からのシステム選択のための通信機器であって、トランシーバモジュールと、前記トランシーバモジュールに動作可能に結合された少なくとも１つのプロセッサと、前記少なくとも１つのプロセッサが、  前記第２のグループに関する前記アクセス技術のそれぞれの優先順位に関係するデータベースに前記第１のグループに関する識別情報を格納し、  前記データベースに格納された前記識別情報に少なくとも一部分基づいて、前記第１及び第２のグループのうちの一方から好適なアクセス技術を選択する  ための実行可能コードを備える、前記少なくとも１つのプロセッサに動作可能に結合されるメモリモジュールと  を備える通信機器。
［２０］  前記識別情報が、前記データベースに列挙された前記第１のグループの所定のシステムごとに、前記所定のシステムを識別する少なくとも１つの拡張ビットを備える［１９］に記載の機器。
［２１］  前記少なくとも１つのプロセッサが、前記データベースにおける前記所定のシステムに関連付けられたＡＴＩＤに少なくとも１つの拡張ビットを追加する［２０］に記載の機器。
［２２］  前記データベースが、前記第１のグループ及び前記第２のグループのうちの少なくとも一方からのアクセス技術の優先順位を付けるためのリスト構造を備え、前記少なくとも１つの拡張ビットが前記第１のグループの前記アクセス技術のサポートを示す［１９］に記載の機器。
［２３］  前記第１のグループが３ＧＰＰ２技術を備え、前記第２のグループが３ＧＰＰ技術を備え、前記データベースが前記３ＧＰＰ技術に関連付けられたＰＬＭＮのリストを備え、前記少なくとも１つの拡張ビットが前記ＰＬＭＮの前記リストの少なくとも１つのエントリを拡張する［２２］に記載の機器。
［２４］  前記少なくとも１つのプロセッサが前記３ＧＰＰ２技術に関連付けられたＰＲＬにアクセスし、前記ＰＲＬがシステムテーブル及び取得テーブルを備え、前記ＰＲＬの前記システムテーブルが、前記３ＧＰＰ２技術のうちの少なくとも１つについて、少なくとも１つのＳＩＤ／ＮＩＤの組み合わせを備える［２３］に記載の機器。
［２５］  前記ＰＲＬの前記システムテーブルが、前記３ＧＰＰ２技術のうちの少なくとも１つについて、少なくとも１つのＭＣＣ／ＭＮＣの対を含むように構成されることに応答して、前記少なくとも１つのプロセッサが、前記システムテーブルにおける所定のＭＣＣ／ＭＮＣの対について、前記システムテーブルから対応する取得インデックスを取得し、前記取得インデックスが前記取得テーブルに列挙された周波数のうちの少なくとも１つを指す［２４］に記載の機器。
［２６］  前記少なくとも１つのプロセッサが、前記システムテーブルの所定のＭＣＣ／ＭＮＣの対について、前記システムテーブルからの対応する取得インデックスを取得し、前記取得インデックスが、前記取得テーブルに列挙される前記周波数のうちの少なくとも１つを指す［２５］に記載の機器。
［２７］  前記ＰＬＭＮの前記リストが、前記３ＧＰＰ２技術のうちの少なくとも１つについて、少なくとも１つのＭＣＣ／ＭＮＣの対を含むことに応答して、前記少なくとも１つのプロセッサが、マッピングテーブルをチェックすることによって、前記少なくとも１つのＭＣＣ／ＭＮＣの対を使用して、対応するＳＩＤ／ＮＩＤの対及び対応するサブネットＩＤのうちの少なくとも一方を見つける［２４］に記載の機器。
［２８］  前記トランシーバモジュールが少なくとも１つの３ＧＰＰ２システムから少なくとも１つのＥＳＰＭで少なくとも１つのＭＣＣ／ＭＮＣの対を受信する［２４］に記載の機器。
［２９］  前記少なくとも１つのプロセッサが、マッピングテーブルをチェックすることによって、前記ＰＲＬにおけるＳＩＤ／ＮＩＤの組み合わせ及びサブネットＩＤのうちの少なくとも一方を使用して、少なくとも１つの対応するＭＣＣ／ＭＮＣの対を見つける［２４］に記載の機器。
［３０］  前記選択された好適なアクセス技術が少なくとも１つの３ＧＰＰ２システムに対応し、前記少なくとも１つの３ＧＰＰ２システムが、ＭＣＣ／ＭＮＣの対に関連付けられておらず、ＰＬＭＮの前記リストが、前記３ＧＰＰ２技術に対応する少なくとも１つのブロックエントリを備える  ［２４］に記載の機器。
［３１］  前記少なくとも１つのプロセッサが、前記少なくとも１つのブロックエントリに遭遇することに応答して、（ａ）完全なＰＲＬスキャンを実行して、全ての使用可能な３ＧＰＰ２技術を検索し、（ｂ）使用可能な３ＧＰＰ２システムにキャンプオンする［３０］に記載の機器。
［３２］  前記少なくとも１つのプロセッサが、前記ＰＲＬに列挙されたＧＥＯ及び取得レコードを使用して、前記ＰＬＭＮの前記リストに含まれる３ＧＰＰ２システムのスキャンをスピードアップする［２４］に記載の機器。
［３３］  第１のグループ及び第２のグループを備える複数の無線システムアクセス技術からのシステム選択のための通信機器であって、トランシーバモジュールと、前記トランシーバモジュールに動作可能に結合された少なくとも１つのプロセッサと、前記少なくとも１つのプロセッサが、  前記第２のグループに関するメインデータベースに前記第１のグループに関係する拡張情報を格納し、  好適なアクセス技術を当該機器の現在の地理的位置の前記第１のグループから選択することができるかどうかを決定するために、前記第１のグループに関する前記アクセス技術のそれぞれの優先順位に関係する二次データベースを検索する  ための実行可能コードを備える、前記少なくとも１つのプロセッサに動作可能に結合されるメモリモジュールと  を備える通信機器。
［３４］  前記拡張情報が、前記メインデータベースに列挙された前記第１のグループの所定のアクセス技術ごとに、前記所定のアクセス技術を識別する少なくとも１つの拡張ビットを備える［３３］に記載の機器。
［３５］  前記少なくとも１つのプロセッサが、マッピングテーブルを調べて、前記第１のグループの前記好適なアクセス技術の第１の識別子を、前記第２のグループに使用可能な対応する第２の識別子に変換する［３３］に記載の機器。
［３６］  第１のグループ及び第２のグループを備える複数の無線システムアクセス技術からのシステム選択のための装置であって、前記第２のグループに関する前記アクセス技術のそれぞれの優先順位に関係するデータベースに前記第１のグループに関する識別情報を格納するための第１のコンポーネントと、前記データベースに格納された前記識別情報に少なくとも一部分基づいて、前記第１及び第２のグループのうちの一方から好適なアクセス技術を選択するための第２のコンポーネントと  を備える装置。
［３７］  前記識別情報が、前記第１のグループの前記アクセス技術のサポートを示す［３６］に記載の装置。
［３８］  前記第１のグループが３ＧＰＰ２技術を備え、前記第２のグループが３ＧＰＰ技術を備える［３６］に記載の装置。
［３９］  第１のグループ及び第２のグループを備える複数の無線システムアクセス技術からのシステム選択のための装置であって、前記第２のグループに関するメインデータベースに前記第１のグループに関係する拡張情報を格納するための第１のコンポーネントと、好適なアクセス技術をユーザ機器の現在の地理的位置の前記第１のグループから選択することができるかどうかを決定するために、前記第１のグループに関する前記アクセス技術のそれぞれの優先順位に関係する二次データベースを検索するための第２のコンポーネントと  を備える装置。
［４０］  前記拡張情報が、前記メインデータベースに列挙された前記第１のグループの所定のアクセス技術ごとに、前記所定のアクセス技術を識別する少なくとも１つの拡張ビットを備える［３９］に記載の装置。
［４１］  前記第１のグループが３ＧＰＰ２技術を備え、前記第２のグループが３ＧＰＰ技術を備える［３９］に記載の装置。
［４２］  第１のグループ及び第２のグループを備える複数の無線システムアクセス技術からのシステム選択のための装置であって、前記第２のグループに関する前記アクセス技術のそれぞれの優先順位に関係するデータベースに前記第１のグループに関する識別情報を格納するための手段と、前記データベースに格納された前記識別情報に少なくとも一部分基づいて、前記第１及び第２のグループのうちの一方から好適なアクセス技術を選択するための手段と  を備える装置。
［４３］  前記識別情報が、前記第１のグループの前記アクセス技術のサポートを示す［４２］に記載の装置。
［４４］  前記第１のグループが３ＧＰＰ２技術を備え、前記第２のグループが３ＧＰＰ技術を備える［４２］に記載の装置。
［４５］  第１のグループ及び第２のグループを備える複数の無線システムアクセス技術からのシステム選択のための装置であって、前記第２のグループに関するメインデータベースに前記第１のグループに関係する拡張情報を格納するための手段と、好適なアクセス技術をユーザ機器の現在の地理的位置の前記第１のグループから選択することができるかどうかを決定するために、前記第１のグループに関する前記アクセス技術のそれぞれの優先順位に関係する二次データベースを検索するための手段と  を備える装置。
［４６］  前記拡張情報が、前記メインデータベースに列挙された前記第１のグループの所定のアクセス技術ごとに、前記所定のアクセス技術を識別する少なくとも１つの拡張ビットを備える［４５］に記載の装置。
［４７］  前記第１のグループが３ＧＰＰ２技術を備え、前記第２のグループが３ＧＰＰ技術を備える［４５］に記載の装置。
［４８］  コンピュータに、複数の無線システムアクセス技術の第１のグループに関する識別情報を、第２のグループに関する複数のうちのそれぞれの優先順位に関係するデータベースに格納させるためのコードと、コンピュータに、前記データベースに格納された前記識別情報に少なくとも一部分基づいて、前記第１及び第２のグループのうちの一方から好適なアクセス技術を選択させるためのコードと  を備えるコンピュータ可読媒体  を備えるコンピュータプログラム製品。
［４９］  前記識別情報が、前記第１のグループの前記アクセス技術のサポートを示す［４８］に記載のコンピュータプログラム製品。
［５０］  前記第１のグループが３ＧＰＰ２技術を備え、前記第２のグループが３ＧＰＰ技術を備える［４８］に記載のコンピュータプログラム製品。
［５１］  コンピュータに、複数の無線システムアクセス技術の第１のグループに関係する拡張情報を、前記複数の第２のグループに関するメインデータベースに格納させるためのコードと、コンピュータに、好適なアクセス技術を当該機器の現在の地理的位置の前記第１のグループから選択することができるかどうかを決定するために、前記第１のグループに関する前記アクセス技術のそれぞれの優先順位に関係する二次データベースを検索させるためのコードと  を備えるコンピュータ可読媒体  を備えるコンピュータプログラム製品。
［５２］  コンピュータに、マッピングテーブルを調べさせて、前記第１のグループの前記好適なアクセス技術の第１の識別子を、前記第２のグループに使用可能な対応する第２の識別子に変換させるためのコードをさらに備える［５１］に記載のコンピュータプログラム製品。
【図１】
0005341197.tif 000002
【図２】
0005341197.tif 000003
【図３Ａ】
0005341197.tif 000004
【図３Ｂ】
0005341197.tif 000005
【図３Ｃ】
0005341197.tif 000006
【図４】
0005341197.tif 000007
【図５】
0005341197.tif 000008
【図６】
0005341197.tif 000009
【図７】
0005341197.tif 000010
【図８】
0005341197.tif 000011
【図９】
0005341197.tif 000012
【図１０】
0005341197.tif 000013
【図１１Ａ】
0005341197.tif 000014
【図１１Ｂ】
0005341197.tif 000015
【図１１Ｃ】
0005341197.tif 000016
【図１２】
0005341197.tif 000017
【図１３Ａ】
0005341197.tif 000018
【図１３Ｂ】
0005341197.tif 000019
【図１３Ｃ】
0005341197.tif 000020
【図１４】
0005341197.tif 000021
【図１５Ａ】
0005341197.tif 000022
【図１５Ｂ】
0005341197.tif 000023
【図１５Ｃ】
0005341197.tif 000024